(57)【要約】【課題】スイッチの使用数を増加させることなく、ディスクのチャッキング動作をスイッチで検出する。【解決手段】ディスク挿入口に挿入されたディスクの周縁に当接して開閉揺動する検出アーム７Ｒと、検出アーム７Ｒを閉じる方向に付勢する付勢手段と、検出アーム７Ｒが僅かに開くと切り換わる第１のスイッチ６６と、ディスクが小径ディスクの場合には到達しないが大径ディスク１１Ａの場合には到達する位置まで検出アーム７Ｒが開くと切り換わる第２のスイッチ６７と、ターンテーブル８０ｄをディスクに向けて移動させてチャッキングさせる駆動手段（回動カムプレート８）と、駆動手段に設けられ、ターンテーブル８０ｄのチャッキング動作に対応して検出アーム７Ｒを揺動させて第１のスイッチ６６を切り換える操作手段（凸部８ｎ）を備えている。操作手段による第１のスイッチ６６の切り換えによりディスクのチャッキング動作を検出する。【選択図】図６５
2012164408.tif 000002
【特許請求の範囲】
【請求項１】
ディスク挿入口に挿入されたディスクの周縁に当接して開閉揺動する検出アームと、前記検出アームを閉じる方向に付勢する付勢手段と、前記検出アームが僅かに開くと切り換わる第１のスイッチと、前記ディスクが小径ディスクの場合には到達しないが大径ディスクの場合には到達する位置まで前記検出アームが開くと切り換わる第２のスイッチと、ターンテーブルを前記ディスクに向けて移動させてチャッキングさせる駆動手段と、前記駆動手段に設けられ、前記ターンテーブルのチャッキング動作に対応して前記検出アームを揺動させて前記第１のスイッチを切り換える操作手段を備え、前記ディスクの前記ディスク挿入口への挿入により前記第１のスイッチが切り換わった後さらに前記第２のスイッチも切り換わった場合に前記ディスクが大径ディスクであることを検出し、前記ディスクの前記ディスク挿入口への挿入により前記第１のスイッチが切り換わった後、前記第２のスイッチが切り換わらずに前記第１のスイッチが再度切り換わった場合に前記ディスクが小径ディスクであることを検出し、前記操作手段による前記第１のスイッチの切り換えにより前記ディスクのチャッキング動作を検出することを特徴とするディスクプレーヤ。
【発明の詳細な説明】
【技術分野】
【０００１】
本発明は、ディスクプレーヤに関する。更に詳しくは、本発明は、ディスクの搬送によって揺動される検出アームを有し、検出アームの揺動によりスイッチを操作してディスクの挿入や種類を検出するタイプのディスクプレーヤに関するものである。
【背景技術】
【０００２】
従来のディスクプレーヤとして、特開２００５−３０２２１５号公報に開示されたものがある。このディスクプレーヤでは、図１１１に示すように、ディスクの挿入を検出する左右一対の検出アーム１０１，１０２を備えており、一方の検出アーム１０１の回転によって２つのスイッチ１０３，１０４を操作することで、ディスクの挿入とディスクの種類（大径ディスク，小径ディスク）を検出している。
【０００３】
ディスク挿入口にディスクが挿入され、検出アーム１０１が僅かに開くと、第１のスイッチ１０３が切り換えられ、ディスクの挿入が検出される。そして、更に検出アーム１０１が開き、第２のスイッチ１０４が切り換えられると、挿入されたディスクが大径ディスクであると判断され、第２のスイッチ１０４が切り換えられずに第１のスイッチ１０３が再度操作されると、挿入されたディスクが小径ディスクであると判断される。
【０００４】
また、挿入されたディスクが大径ディスクであると判断した場合には、第２のスイッチ１０４が操作されてから所定時間経過後にチャッキングが終了したと推定され、ディスクをローディングするモータを停止させる。即ち、設計上のチャッキング終了までの時間に確実性を考慮した余裕時間を加えた時間（以下、モータ駆動継続時間という）を予め定めておき、このモータ駆動継続時間の経過後にモータを停止させている。一方、挿入されたディスクが小径ディスクであると判断した場合には、第１のスイッチ１０３の２度目の操作から所定のモータ駆動継続時間の経過後にモータを停止させている。
【０００５】
このディスクプレーヤでは高価なスイッチの使用数を２つに抑え、製造コストを安くしている。
【先行技術文献】
【特許文献】
【０００６】
【特許文献１】特開２００５−３０２２１５号公報
【発明の概要】
【発明が解決しようとする課題】
【０００７】
しかしながら、上記のディスクプレーヤでは、モータ駆動継続時間が第２のスイッチ１０４の操作（大径ディスクの場合）又は第１のスイッチ１０３の２度目の操作（小径ディスクの場合）から開始する時間となっており、ディスク搬送の比較的早い段階又は中盤の段階から開始するので、モータ駆動継続時間として設定される時間が比較的長い時間となる。そのため、以下の問題がある。即ち、搬送負荷の変動等により実際の搬送時間がモータ駆動継続時間から大きく外れることがある。実際の搬送時間がモータ駆動継続時間よりも長くなると、搬送の途中でモータが停止する虞がある。一方、実際の搬送時間がモータ駆動継続時間よりも短くなると、チャッキング終了後にもモータが長時間にわたり回転し続けることになり、モータの回転力伝達機構に過大な負荷がかかり、耐久性に悪影響を与えてしまう。
【０００８】
ここで、モータ駆動継続時間をできるだけ短い時間に設定することで実際の搬送時間とのずれを減少させることができ、これにより上記のような搬送途中でのモータの停止やチャッキング終了後にもモータが長時間にわたり回転し続けることを防止することが必要になる。しかしながら、モータ駆動継続時間として短い時間を設定するためにはディスク搬送動作の終盤段階、例えばチャッキング動作を検出する必要があり、チャッキング動作の検出のために新たにスイッチを追加すると、ディスクプレーヤの製造コストの増加を招いてしまう。
【０００９】
本発明は、スイッチの使用数を増加させることなく、ディスクのチャッキング動作をスイッチで検出することが可能なディスクプレーヤを提供することを目的とする。
【課題を解決するための手段】
【００１０】
かかる目的を達成するために、本発明のディスクプレーヤは、ディスク挿入口に挿入されたディスクの周縁に当接して開閉揺動する検出アームと、検出アームを閉じる方向に付勢する付勢手段と、検出アームが僅かに開くと切り換わる第１のスイッチと、ディスクが小径ディスクの場合には到達しないが大径ディスクの場合には到達する位置まで検出アームが開くと切り換わる第２のスイッチと、ターンテーブルをディスクに向けて移動させてチャッキングさせる駆動手段と、駆動手段に設けられ、ターンテーブルのチャッキング動作に対応して検出アームを揺動させて第１のスイッチを切り換える操作手段を備え、ディスクのディスク挿入口への挿入により第１のスイッチが切り換わった後さらに第２のスイッチも切り換わった場合にディスクが大径ディスクであることを検出し、ディスクのディスク挿入口への挿入により第１のスイッチが切り換わった後、第２のスイッチが切り換わらずに第１のスイッチが再度切り換わった場合にディスクが小径ディスクであることを検出し、操作手段による第１のスイッチの切り換えによりディスクのチャッキング動作を検出するようにしている。
【発明の効果】
【００１１】
本発明によれば、ディスクの挿入を検出する第１のスイッチを利用してディスクのチャッキング動作を検出することができる。そのため、わざわざ別個にチャッキング検出用のスイッチを設ける必要がなくなり、スイッチの使用数の増加を抑えて製造コストの増加を防ぐことができる。
【００１２】
また、ディスクのチャッキング動作を検出することができるので、駆動手段を駆動させるモータの停止タイミングをチャッキング動作の検出に基づいて制御可能になる。そのため、モータの停止タイミングを例えばディスク搬送の比較的早い段階又は中盤の段階に基づいて制御する場合に比べて、上述のモータ駆動継続時間、即ちチャッキングが終了していないとの推定に基づいてモータを駆動し続ける時間が短くなる。そのため、モータ駆動継続時間に含める余裕時間（作動の確実性を考慮して余分に作動させる時間）を短くすることができ、その分だけディスク挿入口にディスクを挿入してから演奏が開始されるまでの時間を短くすることができる。そのため、ユーザの待ち時間を減らしてディスクプレーヤの使い勝手を向上させることができる。
【００１３】
また、モータ駆動継続時間として短い時間を設定できるので、実際のディスク搬送時間とのずれ（誤差）を減らすことができ、駆動力伝達系への負荷を軽減することができて耐久性を向上させることができると共に、ディスク搬送の確実性を向上させることができる。
【００１４】
さらに、ターンテーブルを上下動させる駆動手段に検出アームを揺動させる操作手段を設けているので、実際のチャッキング動作とその検出動作（第１のスイッチの切り換え）とをより確実に同期させることができ、ローディングする駆動力の停止タイミングをより正確なものにすることができる（ローディング負荷の大小、搬送時間の長短の影響を受け難い）。
【図面の簡単な説明】
【００１５】
【図１】本発明のディスクプレーヤの実施形態の一例を示し、上側ハウジングを取り外した状態を示す平面図である。
【図２】同ディスクプレーヤの上側ハウジング及びシャーシを取り外した状態を示す平面図である。
【図３】同ディスクプレーヤの外観を示し、（Ａ）は平面図、（Ｂ）は正面図、（Ｃ）は側面図である。
【図４】モータの回転を伝える歯車列を示す断面図である。
【図５】スライドプレートと連結ギアとの噛み合いを説明するための図である。
【図６】シャーシを示す平面図である。
【図７】左側の検出アームを示し、（Ａ）は平面図、（Ｂ）は側面図、（Ｃ）は底面図である。
【図８】右側の検出アームを示し、（Ａ）は平面図、（Ｂ）は側面図、（Ｃ）は底面図である。
【図９】右側の検出アームに連結される作動レバーを示し、（Ａ）は平面図、（Ｂ）は正面図、（Ｃ）は側面図である。
【図１０】左側の検出アームに連結される作動レバーを示し、（Ａ）は平面図、（Ｂ）は正面図、（Ｃ）は側面図である。
【図１１】左側のディスクセンタリングガイドを示し、（Ａ）は平面図、（Ｂ）は側面図、（Ｃ）は底面図である。
【図１２】左側の退避レバーを示し、（Ａ）は平面図、（Ｂ）は側面図、（Ｃ）は正面図である。
【図１３】右側のディスクセンタリングガイドを示し、（Ａ）は平面図、（Ｂ）は側面図、（Ｃ）は底面図である。
【図１４】左側の退避レバーを示し、（Ａ）は平面図、（Ｂ）は側面図、（Ｃ）は正面図である。
【図１５】第１のディスクエンド検知レバーを示し、（Ａ）は平面図、（Ｂ）は側面図である。
【図１６】スライドアームを示し、（Ａ）は平面図、（Ｂ）は側面図、（Ｃ）は正面図である。
【図１７】スライドアームがスライドプレートを移動させて第１のラックを中間媒介歯車に噛み合わせる様子を示す図である。
【図１８】スライドプレートを示し、（Ａ）は回動カムプレートが配置される方向とは逆方向からみた側面図、（Ｂ）は平面図、（Ｃ）は回動カムプレート側からみた側面図、（Ｃ）は底面図である。
【図１９】連結ギアを示し、（Ａ）は平面図、（Ｂ）は側面図である。
【図２０】回動カムプレートを示し、（Ａ）は平面図、（Ｂ）は正面図である。
【図２１】ストッパプレートを示し、（Ａ）は平面図、（Ｂ）は側面図、（Ｃ）は正面図である。
【図２２】ストッパプレートを示し、（Ａ）は平面図、（Ｂ）は側面図、（Ｃ）は正面図である。
【図２３】第２のディスクエンド検知レバーを示し、（Ａ）は平面図、（Ｂ）は側面図、（Ｃ）は底面図である。
【図２４】トラバースユニットを示し、（Ａ）は平面図、（Ｂ）は側面図である。
【図２５】左側の操作レバーを示し、（Ａ）は平面図、（Ｂ）は側面図、（Ｃ）は底面図である。
【図２６】右側の操作レバーを示し、（Ａ）は平面図、（Ｂ）は側面図、（Ｃ）は底面図である。
【図２７】左側のガイドベースを示し、（Ａ）は平面図、（Ｂ）は側面図、（Ｃ）は正面図である。
【図２８】右側のガイドベースを示し、（Ａ）は平面図、（Ｂ）は側面図、（Ｃ）は正面図である。
【図２９】操作レバーとスライドカムプレートとシャッタアームの連結の様子を示し、（Ａ）は平面図、（Ｂ）は正面図である。
【図３０】右側の回動アームが搬送ローラを下げる（退避させる）様子を示す正面図である。
【図３１】左側の回動アームを示し、（Ａ）は平面図、（Ｂ）は搬送ローラとは反対側の側面図、（Ｃ）は搬送ローラ側の側面図である。
【図３２】右側の回動アームを示し、（Ａ）は平面図、（Ｂ）は搬送ローラ側の側面図、（Ｃ）は搬送ローラとは反対側の側面図である。
【図３３】スライドカムプレートに設けられた左右一対のカム板がシャッタアームの凸部を移動させる様子を示す正面図である。
【図３４】シャッタアームを示し、（Ａ）は平面図、（Ｂ）は側面図、（Ｃ）は正面図である。
【図３５】シャッタアームが揺動する様子を示す図である。
【図３６】トラバースユニット及びシャッタアームの動きを説明するための図で、（Ａ）はディスクが挿入される前の待機状態を示す図、（Ｂ）は（Ａ）に続く状態を示す図、（Ｃ）は（Ｂ）に続く状態を示す図、（Ｄ）は（Ｃ）に続く状態を示す図、（Ｅ）は（Ｄ）に続く状態を示す図、（Ｆ）は（Ｅ）に続く状態を示す図である。
【図３７】トラバースユニットの凸部の動きを説明するための図で、（Ａ）は左側の凸部の動きを示す図、（Ｂ）は右側の凸部の動きを示す図である。
【図３８】挿入されたディスクが大径ディスクである場合のローディング動作を示し、ディスクが挿入される前の待機状態を示す図である。
【図３９】挿入されたディスクが大径ディスクである場合のローディング動作を示し、図３８に続く状態を示す図である。
【図４０】挿入されたディスクが大径ディスクである場合のローディング動作を示し、図３９に続く状態を示す図である。
【図４１】挿入されたディスクが大径ディスクである場合のローディング動作を示し、図４０に続く状態を示す図である。
【図４２】挿入されたディスクが大径ディスクである場合のローディング動作を示し、図４１に続く状態を示す図である。
【図４３】挿入されたディスクが大径ディスクである場合のローディング動作を示し、図４２に続く状態を示す図である。
【図４４】挿入されたディスクが大径ディスクである場合のローディング動作を示し、図４３に続く状態を示す図である。
【図４５】挿入されたディスクが大径ディスクである場合のローディング動作を示し、図４４に続く状態を示す図である。
【図４６】挿入されたディスクが大径ディスクである場合のローディング動作を示し、図４５に続く状態を示す図である。
【図４７】挿入されたディスクが大径ディスクである場合のローディング動作を示し、図４６に続く状態を示す図である。
【図４８】挿入されたディスクが大径ディスクである場合のローディング動作を示し、図４７に続く状態を示す図である。
【図４９】挿入されたディスクが大径ディスクである場合のローディング動作を示し、図４８に続く状態を示す図である。
【図５０】挿入されたディスクが大径ディスクである場合のローディング動作を示し、図４９に続く状態を示す図である。
【図５１】挿入されたディスクが大径ディスクである場合のローディング動作を示し、図５０に続く状態を示す図である。
【図５２】挿入されたディスクが大径ディスクである場合のローディング動作を示し、図５１に続く状態を示す図である。
【図５３】挿入されたディスクが大径ディスクである場合のローディング動作を示し、図５２に続く状態を示す図である。
【図５４】挿入されたディスクが大径ディスクである場合のローディング動作を示し、図５３に続く状態を示す図である。
【図５５】挿入されたディスクが大径ディスクである場合のローディング動作を示し、図５４に続く状態を示す図である。
【図５６】挿入されたディスクが大径ディスクである場合のローディング動作を示し、図５５に続く状態を示す図である。
【図５７】挿入されたディスクが大径ディスクである場合のローディング動作を示し、図５６に続く状態を示す図である。
【図５８】挿入されたディスクが大径ディスクである場合のローディング動作を示し、図５７に続く状態を示す図である。
【図５９】挿入されたディスクが大径ディスクである場合のローディング動作を示し、図５８に続く状態を示す図である。
【図６０】挿入されたディスクが大径ディスクである場合のローディング動作を示し、図５９に続く状態を示す図である。
【図６１】挿入されたディスクが大径ディスクである場合のローディング動作を示し、図６０に続く状態を示す図である。
【図６２】挿入されたディスクが大径ディスクである場合のローディング動作を示し、図６１に続く状態を示す図である。
【図６３】挿入されたディスクが大径ディスクである場合のローディング動作を示し、図６２に続く状態を示す図である。
【図６４】挿入されたディスクが大径ディスクである場合のローディング動作を示し、図６３に続く状態を示す図である。
【図６５】挿入されたディスクが大径ディスクである場合のローディング動作を示し、図６４に続く状態を示す図である。
【図６６】挿入されたディスクが大径ディスクである場合のローディング動作を示し、図６５に続く状態を示す図である。
【図６７】挿入されたディスクが大径ディスクである場合のローディング動作を示し、図６６に続く状態を示す図である。
【図６８】挿入されたディスクが大径ディスクである場合のローディング動作を示し、図６７に続く状態を示す図である。
【図６９】挿入されたディスクが大径ディスクである場合のローディング動作を示し、図６８に続く状態を示す図である。
【図７０】挿入されたディスクが大径ディスクである場合のローディング動作を示し、図６９に続く状態を示す図である。
【図７１】挿入されたディスクが大径ディスクである場合のローディング動作を示し、図７０に続く状態を示す図である。
【図７２】挿入されたディスクが大径ディスクである場合のローディング動作を示し、図７１に続く状態を示す図である。
【図７３】挿入されたディスクが大径ディスクである場合のローディング動作を示し、図７２に続く状態を示す図である。
【図７４】挿入されたディスクが大径ディスクである場合のローディング動作を示し、図７３に続く状態を示す図である。
【図７５】挿入されたディスクが大径ディスクである場合のローディング動作を示し、図７４に続く状態を示す図である。
【図７６】挿入されたディスクが大径ディスクである場合のローディング動作を示し、図７５に続く状態を示す図である。
【図７７】挿入されたディスクが大径ディスクである場合のローディング動作を示し、図７６に続く状態を示す図である。
【図７８】挿入されたディスクが大径ディスクである場合のローディング動作を示し、図７７に続く状態を示す図である。
【図７９】挿入されたディスクが大径ディスクである場合のローディング動作を示し、図７８に続く状態を示す図である。
【図８０】挿入されたディスクが大径ディスクである場合のローディング動作を示し、図７９に続く状態を示す図である。
【図８１】挿入されたディスクが小径ディスクである場合のローディング動作を示し、図３８に続く状態を示す図である。
【図８２】挿入されたディスクが小径ディスクである場合のローディング動作を示し、図８１に続く状態を示す図である。
【図８３】挿入されたディスクが小径ディスクである場合のローディング動作を示し、図８２に続く状態を示す図である。
【図８４】挿入されたディスクが小径ディスクである場合のローディング動作を示し、図８３に続く状態を示す図である。
【図８５】挿入されたディスクが小径ディスクである場合のローディング動作を示し、図８４に続く状態を示す図である。
【図８６】挿入されたディスクが小径ディスクである場合のローディング動作を示し、図８５に続く状態を示す図である。
【図８７】挿入されたディスクが小径ディスクである場合のローディング動作を示し、図８６に続く状態を示す図である。
【図８８】挿入されたディスクが小径ディスクである場合のローディング動作を示し、図８７に続く状態を示す図である。
【図８９】挿入されたディスクが小径ディスクである場合のローディング動作を示し、図８８に続く状態を示す図である。
【図９０】挿入されたディスクが小径ディスクである場合のローディング動作を示し、図８９に続く状態を示す図である。
【図９１】挿入されたディスクが小径ディスクである場合のローディング動作を示し、図９０に続く状態を示す図である。
【図９２】挿入されたディスクが小径ディスクである場合のローディング動作を示し、図９１に続く状態を示す図である。
【図９３】挿入されたディスクが小径ディスクである場合のローディング動作を示し、図９２に続く状態を示す図である。
【図９４】挿入されたディスクが小径ディスクである場合のローディング動作を示し、図９３に続く状態を示す図である。
【図９５】挿入されたディスクが小径ディスクである場合のローディング動作を示し、図９４に続く状態を示す図である。
【図９６】挿入されたディスクが小径ディスクである場合のローディング動作を示し、図９５に続く状態を示す図である。
【図９７】挿入されたディスクが小径ディスクである場合のローディング動作を示し、図９６に続く状態を示す図である。
【図９８】挿入されたディスクが小径ディスクである場合のローディング動作を示し、図９７に続く状態を示す図である。
【図９９】挿入されたディスクが小径ディスクである場合のローディング動作を示し、図９８に続く状態を示す図である。
【図１００】挿入されたディスクが小径ディスクである場合のローディング動作を示し、図９９に続く状態を示す図である。
【図１０１】大径ディスクをセンタリングしながらローディングする様子を示し、大径ディスクが左側にずれて挿入された状態を示す図である。
【図１０２】大径ディスクをセンタリングしながらローディングする様子を示し、大径ディスクが右側にずれて挿入された場合にディスク挿入口によってセンタリングされる状態を示す図である。
【図１０３】大径ディスクをセンタリングしながらローディングする様子を示し、図１０２に続く状態を示す図である。
【図１０４】小径ディスクをセンタリングしながらローディングする様子を示し、小径ディスクが左側にずれて挿入された状態を示す図である。
【図１０５】小径ディスクをセンタリングしながらローディングする様子を示し、小径ディスクが右側にずれて挿入された状態を示す図である。
【図１０６】小径ディスクをセンタリングしながらローディングする様子を示し、図１０５に続く状態を示す図である。
【図１０７】大径ディスクをローディングする場合のスイッチのオン・オフ動作とモータの回転のタイミングを示す図である。
【図１０８】小径ディスクをローディングする場合のスイッチのオン・オフ動作とモータの回転のタイミングを示す図である。
【図１０９】大径ディスクをイジェクトする場合のスイッチのオン・オフ動作とモータの回転のタイミングを示す図である。
【図１１０】小径ディスクをイジェクトする場合のスイッチのオン・オフ動作とモータの回転のタイミングを示す図である。
【図１１１】従来のディスクプレーヤを示す図である。
【発明を実施するための形態】
【００１６】
以下、本発明の構成を図面に示す形態に基づいて詳細に説明する。本実施形態では、ディスクを寝かせた状態で挿入するタイプのディスクプレーヤについて説明する。ただし、ディスクを寝かせた状態で挿入するタイプのディスクプレーヤに限るものではなく、例えばディスクを立てた状態で挿入するタイプのディスクプレーヤ等であっても良い。また、本実施形態では、直径の異なる２種類のディスク（直径１２ｃｍの大径ディスクと直径８ｃｍの小径ディスク）の取り扱いが可能なディスクプレーヤについて説明する。ただし、必ずしも２種類のディスクの取り扱いが可能なディスクプレーヤに限るものではなく、１種類のディスクの取り扱いが可能なディスクプレーヤ等であっても良い。
【００１７】
なお、本実施形態では、ディスク挿入口からディスクプレーヤ内の奥に向かう方向をローディング方向といい、ディスクプレーヤ内の奥からディスク挿入口に向かう方向をイジェクト方向という。また、特に大径ディスクと小径ディスクとの区別が必要な場合には異なる符号（大径ディスク１１Ａ，小径ディスク１１Ｂ）を付して両者を区別する。
【００１８】
図１〜図３７にディスクプレーヤを示す。シャーシ１はディスクプレーヤの筐体を構成する下側ハウジング１２と上側ハウジング１７との間に挟み込まれており、シャーシ１と上側ハウジング１７との間にディスク搬送路Ｗ及びディスク演奏空間Ｓになっている。また、筐体の前面開口はディスク挿入口８１が設けられた前面パネル４０によって塞がれている。ディスク挿入口８１はディスク搬送路Ｗに臨んで形成されている。
【００１９】
シャーシ１と下側ハウジング１２との間の機構収容空間８３には一対の検出アーム７Ｌ，７Ｒ、一対のスイッチ６６，６７、スライドカムプレート７０、シャッタアーム２２、回動カムプレート８、作動レバー１５、作動レバー１６、連結ギア３２、操作レバー３８、操作レバー２Ｌ，２Ｒ、ストッパプレート６５、駆動力切換レバー４６、退避レバー９Ｒ，退避レバー９Ｌ、モータ３７、スライドプレート３６、搬送ローラ１８、左右の回動アーム４Ｌ，４Ｒ、トラバースユニット８０が配置されている（図２）。
【００２０】
また、シャーシ１と上側ハウジング１７との間にはディスクセンタリングガイド３Ｌ，３Ｒ、第１のディスクエンド検知レバー４１、スライドアーム６Ｌ、ストッパプレート６Ｒ、第２のディスクエンド検知レバー６２、ガイドベース５Ｌ，５Ｒが配置されている（図１）。
【００２１】
一対の検出アーム７Ｌ，７Ｒはディスク挿入口８１の近傍に設けられている。左側の検出アーム７Ｌを図７に示す。左側の検出アーム７Ｌは軸孔７Ｌａをシャーシ１（図６）の下面に設けられた軸部１ａに揺動自在に取り付けており、その先端に設けられた検出凸部７Ｌｂをシャーシ１のスリット１ｂからディスク搬送路Ｗに突出させている。また、検出アーム７Ｌのシャーシ１対向面にはシャーシ１の下面に設けられたガイド溝１ｃに挿入される凸部７Ｌｃが設けられている。スリット１ｂ及びガイド溝１ｃは軸部１ａを中心とした円弧形状を成しており、検出アーム７Ｌの揺動を可能にしている。
【００２２】
右側の検出アーム７Ｒを図８に示す。右側の検出アーム７Ｒは軸孔７Ｒａをシャーシ１の下面に設けられた軸部１ｄに揺動自在に取り付けており、その先端に設けられた検出凸部７Ｒｂをシャーシ１のスリット１ｅからディスク搬送路Ｗに突出させている。また、検出アーム７Ｒのシャーシ１対向面にはシャーシ１の下面に設けられたガイド溝１ｆに挿入される凸部７Ｒｃが設けられている。スリット１ｅ及びガイド溝１ｆは軸部１ｄを中心とした円弧形状を成しており、検出アーム７Ｒの揺動を可能にしている。
【００２３】
検出アーム７Ｒには作動レバー１６が連結されている。作動レバー１６を図９に示す。本実施形態では、検出アーム７Ｒに設けた凸部７Ｒｄを作動レバー１６に設けた連結スリット１６ａに挿入することで検出アーム７Ｒと作動レバー１６を連結しているが、検出アーム７Ｒに連結スリットを設け、作動レバー１６に凸部を設けるようにしても良く、その他の連結構造でも良い。作動レバー１６にはシャーシ１の幅方向に伸びるスリット１６ｂ，１６ｂが設けられており、スリット１６ｂ，１６ｂにはシャーシ１の下面に設けられたガイド凸部１ｇ，１ｇが挿入されている。したがって、検出アーム７Ｒが軸部１ｄを中心に揺動すると、作動レバー１６がシャーシ１の幅方向に移動する。作動レバー１６の先端にはディスクセンタリングガイド３Ｌを揺動させるアーム部１６ｃが設けられている。また、検出アーム７Ｒの回動カムプレート８側の部分には後述の回動カムプレート８の凸部８ｎによって押される凸部７Ｒｆが設けられている。本実施形態では軸孔７Ｒａの近傍に凸部７Ｒｆを設けている。
【００２４】
検出アーム７Ｌには作動レバー１５が連結されている。作動レバー１５を図１０に示す。本実施形態では、検出アーム７Ｌに設けた凸部７Ｌｃを作動レバー１５に設けた連結スリット１５ａに挿入することで検出アーム７Ｌと作動レバー１５を連結しているが、検出アーム７Ｌに連結スリットを設け、作動レバー１５に凸部を設けるようにしても良く、その他の連結構造でも良い。作動レバー１５は作動レバー１６の上に重ねるように配置され、相対移動可能になっている。作動レバー１５にはシャーシ１の幅方向に伸びるスリット１５ｂ，１５ｂが設けられており、スリット１５ｂ，１５ｂにはシャーシ１の下面に設けられたガイド凸部１ｇ，１ｇが挿入されている。したがって、検出アーム７Ｌが軸部１ａを中心に揺動すると、作動レバー１５がシャーシ１の幅方向に移動する。作動レバー１５の先端にはディスクセンタリングガイド３Ｒを揺動させるアーム部１５ｃが設けられている。
【００２５】
作動レバー１５と作動レバー１６との間にはスプリング９１が圧縮された状態で設けられており、各アーム部１５ｃ，１６ｃをディスクセンタリングガイド３Ｒ，３Ｌから引き離す方向に付勢している。したがって、検出アーム７Ｒ，７Ｌは図１，図２に示す待機位置に向けて（検出凸部７Ｒｂ，７Ｌｂを閉じる方向に）常時付勢されている。即ち、スプリング９１が左右の検出アーム７Ｌ，７Ｒを閉じる方向に付勢する付勢手段である。
【００２６】
２本の検出アーム７Ｌ，７Ｒのうちいずれか一方には、第１のスイッチ６６及び第２のスイッチ６７をオンオフ操作する操作部が設けられている。本実施形態では、右側の検出アーム７Ｒに操作部７Ｒｅが設けられている。第１のスイッチ６６及び第２のスイッチ６７は回路基板６８に取り付けられ、検出アーム７Ｒの近傍に配置されている。各スイッチ６６，６７には出没可能な凸部が設けられており、凸部が突出している状態では信号を出力しない（オフ状態）が、凸部が押し込まれると信号を出力する（オン状態となる）。ただし、凸部が突出している状態をオン状態、凸部が押し込まれている状態をオフ状態としても良い。信号は図示しないディスクプレーヤの制御部に供給される。
【００２７】
また、操作部が設けられていない方の検出アームに連結されている作動レバー、本実施形態では左側の検出アーム７Ｌに連結されている作動レバー１５には、当該検出アーム７Ｌ側にディスク１１がずれて挿入された場合に反対側の検出アーム７Ｒを揺動させるセンターずれ連動手段が設けられている。本実施形態では、センターずれ連動手段として検出アーム７Ｒに設けた凸部７Ｒｃに当たる押圧部１５ｄが設けられている。
【００２８】
一対のディスクセンタリングガイド３Ｌ，３Ｒは、搬送されるディスク１１によって押し回されながら当該ディスク１１の軸方向（ディスクプレーヤの高さ方向）の位置をガイド（高さガイド）すると共に、当該ディスク１１が小径ディスク１１Ｂである場合にはディスク搬送路Ｗの中央からのずれを修正するものである。
【００２９】
左側のディスクセンタリングガイド３Ｌを図１１に示す。ディスクセンタリングガイド３Ｌは、シャーシ１の上面に形成された凹部に配置され、シャーシ１の軸部１ｈに軸孔部３Ｌａを挿入することで揺動自在に取り付けられている。ディスクセンタリングガイド３Ｌのアーム部３Ｌｂにはディスク搬送路Ｗに突出する凸部３Ｌｃが設けられている。ディスクセンタリングガイド３Ｌはスプリング９３によって図１に示す位置（待機位置）に向けて付勢されている。ディスクセンタリングガイド３Ｌには退避操作用の凸部３Ｌｄが設けられており、ディスク１１がチャッキング位置Ｐに搬送されると、左側の退避レバー９Ｌによってディスク１１の径方向外側に退避される。
【００３０】
左側の退避レバー９Ｌを図１２に示す。退避レバー９Ｌはディスクセンタリングガイド３Ｌと回動カムプレート８の間にローディング方向に移動可能に設けられており、凸部９Ｌａを回動カムプレート８の円弧溝８ｍに挿入している。円弧溝８ｍは回動カムプレート８の回動中心を中心とする円弧形状を成している。凸部９Ｌａはディスク１１がチャッキング位置Ｐに到達するまでは円弧溝８ｍ内を相対移動（空移動）するので退避レバー９Ｌは回動カムプレート８によって移動されることがない。しかしながら、ディスク１１がチャッキング位置Ｐに到達すると、凸部９Ｌａが円弧溝８ｍの端の壁に当たり、以降、回動カムプレート８の回動に伴って退避レバー９Ｌはローディング方向に移動される。この移動により退避レバー９Ｌの凸部９Ｌｂがディスクセンタリングガイド３Ｌの退避操作用凸部３Ｌｄに当たり、ディスクセンタリングガイド３Ｌを揺動させて凸部３Ｌｃをディスク１１の径方向外側に移動させる（ディスク演奏空間Ｓから退避）。
【００３１】
右側のディスクセンタリングガイド３Ｒを図１３に示す。ディスクセンタリングガイド３Ｒは、シャーシ１の上面に形成された凹部に配置され、シャーシ１の軸部１ｉに軸孔部３Ｒａを挿入することで揺動自在に取り付けられている。ディスクセンタリングガイド３Ｒのアーム部３Ｒｂにはディスク搬送路Ｗに突出する凸部３Ｒｃが設けられている。ディスクセンタリングガイド３Ｒはスプリング９２によって図１に示す位置（待機位置）に向けて付勢されている。ディスクセンタリングガイド３Ｒには退避操作用の凸部３Ｒｄが設けられており、ディスク１１がチャッキング位置Ｐに搬送されると、右側の操作レバー２Ｒによって揺動された右側の退避レバー９Ｒによってディスク１１の径方向外側に退避される。
【００３２】
右側の退避レバー９Ｒを図１４に示す。右側の退避レバー９Ｒはディスクセンタリングガイド３Ｒと回動カムプレート８の間に移動可能に設けられており、一端にはディスクセンタリングガイド３Ｒの退避操作用凸部３Ｒｄに当たる凸部９Ｒｂが、他端には操作レバー２Ｒの連結凸部２Ｒｄが挿入される連結スリット９Ｒａがそれぞれ設けられている。したがって、回動カムプレート８の回動によって操作レバー２Ｒが揺動されると、退避レバー９Ｒが移動して凸部９Ｒｂがディスクセンタリングガイド３Ｒの退避操作用凸部３Ｒｄに当たり、ディスクセンタリングガイド３Ｒを揺動させて凸部３Ｒｃをディスク１１の径方向外側に移動させる（ディスク演奏空間Ｓから退避）。
【００３３】
第１のディスクエンド検知レバー４１を図１５に示す。第１のディスクエンド検知レバー４１は、レバー本体４１ａからアーム部４１ｂを延出させており、シャーシ１の上面に形成された凹部にレバー本体４１ａを配置すると共に、シャーシ１の孔１ｊに軸部４１ｃを挿入することでシャーシ１に揺動自在に取り付けられている。レバー本体４１ａには、挿入されたディスク１１が小径ディスク１１Ｂである場合にスライドアーム６Ｌを移動させる第１の作動部４１ｄと、挿入されたディスク１１が大径ディスク１１Ａである場合にスライドアーム６Ｌを移動させる第２の作動部４１ｅと、ディスクローディング時にディスク１１がチャッキングされディスクローディングが終了する直前に回動する回動カムプレート８に当たる突片４１ｆが設けられている。突片４１ｆはシャーシ１のスリット１ｊｊからシャーシ１と下側ハウジング１２との間の機構収容空間８３に突出している。また、アーム部４１ｂにはディスクローディング時に最初にディスク１１に当たる第１の検知部４１ｇと、ディスク１１が所定位置まで搬送されるとディスク１１に当たる第２の検知部４１ｈが設けられている。第１の検知部４１ｇ及び第２の検知部４１ｈはディスク１１の下面をガイドする庇状の下ガイドとディスク１１の上面をガイドする庇状の上ガイドが設けられており、上下のガイド間にディスク１１の周面を当てることでディスク１１の搬送方向先端部分の高さ出しを行うことができる。ディスクエンド検知レバー４１はスプリング９４によってアーム部４１ｂをディスク１１に押し付ける方向、換言すると、図１に示す位置（待機位置）に向けて付勢されている。第１のディスクエンド検知レバー４１は、待機位置ではシャーシ１の凸部１ｇｇに度当たりして位置決めされている。
【００３４】
スライドアーム６Ｌを図１６に示す。スライドアーム６Ｌは、ディスクエンド検知レバー４１のレバー本体４１ａの近傍に配置され、底面に形成された凸部６Ｌａをシャーシ１のガイド孔１ｋに通してシャーシ１と下側ハウジング１２との間の機構収容空間８３に突出させている。凸部６Ｌはスライドプレート３６の凸部３６ａにディスクプレーヤの奥側から接触してスライドプレート３６をイジェクト方向に移動させることができる（図１７）。
【００３５】
スライドプレート３６を図１８に示す。スライドプレート３６は、ディスクプレーヤの奥側の待機位置（図３８の位置）と手前側のプレイ位置（図８０の位置）との間でスライド可能である。スライドプレート３６の上面には、中間媒介歯車２９のピニオンギア２９ａに噛み合い可能な第１のラック３６ｂが設けられている。中間媒介歯車２９はシャーシ１の軸受部１ｌに回転自在に支持されている。
【００３６】
図４にモータ３７の回転を伝える歯車列を示す。中間媒介歯車２９の大径ギア２９ｂはギア３５の小径ギア３５ａに常時噛み合っている。ギア３５には小径ギア３５ａ、大径ギア３５ｂ、中径ギア３５ｃが設けられており、これらは一体回転する。駆動源であるモータ３７の回転がプーリ２４→ベルト４４→プーリ３４→ギア３４→大径ギア３５ｂ→小径ギア３５ａ→中間媒介歯車２９へと伝達される。プーリ３４とギア３４は同軸上に一体成形されている。また、ギア３５の中径ギア３５ｃの回転は、中径ギア３５ｃ→ギア３０の大径ギア３０ａ→小径ギア３０ｂ→クラッチギア４７→ローラ駆動ギア３３→搬送ローラ１８へと伝達される。ギア３５はシャーシ１に設けられた軸部１ｍに、クラッチギア４７はシャーシ１に設けられた軸部１ｎにそれぞれ回転自在に支持されている。また、プーリ３４及びギア３４とギア３０はシャーシ１に固定された支軸４８に回転自在に支持されている。ローラ駆動ギア３３は搬送ローラ１８のシャフト１８ａに嵌め込まれて固定されている。ギア３５、ギア３４、ギア３０、クラッチギア４７、リターンスプリング４９、ローラ駆動ギア３３はシャーシ１に取り付けられたカバー部材４５に覆われており、シャーシ１からの外れを防止されている。カバー部材４５はシャーシ１に対して取り外し可能である。モータ３７はディスクプレーヤの制御部によって操作される。
【００３７】
クラッチギア４７は軸部１ｎに対して軸方向に移動可能になっている。クラッチギア４７はリターンスプリング４９によってローラ駆動ギア３３に噛み合う位置（伝達位置）に向けて付勢されている（図４）。クラッチギア４７は駆動力切換レバー４６によってローラ駆動ギア３３から切り離された位置（切断位置）に移動される（図６０）。クラッチギア４７は小径ギア３０ｂに対して常時噛み合っている。
【００３８】
駆動力切換レバー４６は、シャーシ１の下面に設けられた軸部１ｏに回転自在に支持されており、スライドプレート３６のカム斜面３６ｃに当たる凸部４６ａを有している。スライドプレート３６がイジェクト方向に移動すると、凸部４６ａがカム斜面３６ｃに押されることで駆動力切換レバー４６はクラッチギア４７側に揺動し、クラッチギア４７を切断位置に向けて移動させる。一方、スライドプレート３６がローディング方向に移動すると、カム斜面３６ｃによる凸部４６ａへの押圧が解除され、リターンスプリング４９のばね力によってクラッチギア４７を介して元の位置（図４の位置）戻される。
【００３９】
また、スライドプレート３６の内側面には、連結ギア３２の入力ギア３２ａに噛み合い可能な第２のラック３６ｄが設けられている。第２のラック３６ｄの１番目の歯（入力ギア３２ａ側の歯）３６ｅは２枚の歯を連続させた場合の歯厚と同じ歯厚を有している（図５）。また、１番目の歯３６ｅの手前側の歯溝（第１歯溝）３６ｆは他の歯溝よりも幅が広く、トリガーストローク（スライドアーム６Ｌがディスクエンド検知レバー４１によって押されて移動を開始してからスライドプレート３６に当たるまでの空移動距離）と同じ幅を有している。また、第１歯溝３６ｆの高さＨａは他の歯溝の高さＨｂよりも低くなっている（Ｈａ＜Ｈｂ）。
【００４０】
連結ギア３２はシャーシ１の下面に設けられた軸部１ｈに回転自在に取り付けられている。図１９に連結ギア３２を示す。連結ギア３２は、スライドプレート３６の第２のラック３６ｄに噛み合っている大径の入力ギア３２ａと、回動カムプレート８のギア部８ａに噛み合っている小径の出力ギア３２ｂより構成され、これらは同軸上に配置され一体に形成されている。
【００４１】
入力ギア３２ａには、待機位置（図３８の位置）に移動しているスライドプレート３６との干渉を避けるための第１の欠歯部３２ｉと、スライドプレート３６が中間媒介歯車２９に噛み合うまで入力ギア３２ａとの噛み合いを遅らせて空移動させるための第２の欠歯部３２ｃが設けられている。本実施形態では、第１の欠歯部３２ｉとして歯４本分のスペースが、第２の欠歯部３２ｃとして歯１本分のスペースがそれぞれ設けられており、これらは第１の歯３２ｄを挟んでその両側に配置されている。即ち、入力ギア３２ａがスライドプレート３６に噛み合う方向において、第１の欠歯部３２ｉ，第１の歯３２ｄ，第２の欠歯部３２ｃ，第２の歯３２ｅ，第３の歯３２ｆ，第４の歯３２ｇ，…の順序になっている。
【００４２】
入力ギア３２ａの第１の歯３２ｄの高さをＨ１、第２の歯３２ｅの高さをＨ２、その他の歯の高さをＨ０とすると、Ｈ１＜Ｈ０＜Ｈ２となっている。第１の歯３２ｄの高さＨ１はスライドプレート３６の第２のラック３６ｄの第１歯溝３６ｆの高さＨａよりも低く、第２の歯３２ｅの高さＨ２は高さＨａよりも高くなっている（Ｈ１＜Ｈａ＜Ｈ２）。したがって、第１の歯３２ｄは第１歯溝３６ｆに入り込んで第２のラック３６ｄの１番目の歯３６ｅに噛み合うことができるが、第２の歯３２ｅは第１歯溝３６ｆに入り込むことができず、したがって、第２の歯３２ｅは第２のラック３６ｄの１番目の歯３６ｅに噛み合うことができない。かかる構成により、上記スライドプレート３６の空移動を確実なものにし、モータ３７の駆動力が中間媒介歯車２９を介して伝えられる前のディスク１１の搬送による移動中には余分な抵抗力がかからないようにしている。なお、入力ギア３２ａの第２の歯３２ｅの高さＨ２と、第１及び第２の歯３２ｄ，３２ｅ以外の歯の高さＨ０は、スライドプレート３６の第２のラック３６ｄの第１歯溝３６ｆ以外の歯溝の高さＨｂよりも低くなっており（Ｈ０＜Ｈ２＜Ｈｂ）、第２の歯３２ｅと第１及び第２の歯３２ｄ，３２ｅ以外の歯とはスライドプレート３６の移動に伴い第２のラック３６ｄに噛み合い、入力ギア３２ａ即ち連結ギア３２は回転する。
【００４３】
なお、本実施形態では出力ギア３２ｂの回動カムプレート８のギア部８ａに噛み合わない領域を欠歯部３２ｈとしているが、この領域に歯（働かない歯）を設けても良い。
【００４４】
スライドプレート３６はシャーシ１との間に設けられたリターンスプリング９５のばね力によって待機位置（図３８の位置）に向けて付勢されている。
【００４５】
回動カムプレート８は例えばＵ字形状を成しており、シャーシ１の切り欠き孔１ｐの円弧状の縁に沿って初期位置（図１に示す位置）から図８０に示す位置まで回動可能になっている。回動カムプレート８を図２０に示す。回動カムプレート８の内側縁には、シャーシ１の切り欠き孔１ｐの円弧状の縁に摺動することで当該回動カムプレート８の回動をガイドする左右一対の円弧状のガイドプレート８ｂ，８ｃが設けられている。
【００４６】
回動カムプレート８の連結ギア３２に対向する位置には連結ギア３２の出力ギア３２ｂに噛み合うギア部８ｄが設けられている。したがって、連結ギア３２が回転すると回動カムプレート８はシャーシ１の切り欠き孔１ｐの縁に沿って回動する。回動カムプレート８のディスクセンタリングガイド３Ｌ側の先端部は二股形状を成しており、回動角度が所定角度に達するとストッパプレート６５を外す方向に操作する第１の作動部８ｅと、ディスク１１が大径ディスク１１Ａである場合に第１の作動部８ｅがストッパプレート６５を操作した直後に第１のディスクエンド検知レバー４１を大径ディスク１１Ａの径方向外側に移動させる（退避させる）第２の作動部８ｆと、ディスク１１が小径ディスク１１Ｂである場合に第１のディスクエンド検知レバー４１を移動させる第３の作動部８ｇが設けられている。第１の作動部８ｅ及び第２の作動部８ｆは回動カムプレート８の先端の凸形状部分に、第３の作動部８ｇは第１の作動部８ｅと第２の作動部８ｆとの間の凹形状部分にそれぞれ設けられている。
【００４７】
ストッパプレート６５を図２１に示す。ストッパプレート６５は、大径ディスク１１Ａをチャッキング位置Ｐに位置決めする位置に第１のディスクエンド検知レバー４１を位置決めして停止させるもので、その軸部６５ａをシャーシ１の上面に設けられた軸孔１ｑに挿入することでシャーシ１に揺動自在に取り付けられている。ストッパプレート６５は、ストッパ部６５ｂを第１のディスクエンド検知レバー４１の凸部４１ｉの移動経路上に配置する作動位置（図１，図５７，図６７の位置）と、ストッパ部６５ｂを凸部４１ｉの移動経路からずらす解除位置（図７３の位置）との間で揺動可能であり、通常は第１のディスクエンド検知レバー４１を付勢しているスプリング９４によって作動位置に位置決めされている。ストッパプレート６５には回動カムプレート８の移動領域に突出し回動カムプレート８の第１の作動部８ｅによって操作される凸片６５ｃが設けられている。
【００４８】
また、回動カムプレート８のディスクセンタリングガイド３Ｒ側の端部近傍には、回動カムプレート８の回動によりディスク１１がチャッキングされた後ストッパプレート６Ｒの第２の凸部６Ｒｂをディスクから離す方向に回動操作する第４の作動部８ｈが設けられている。
【００４９】
ストッパプレート６Ｒを図２２に示す。ストッパプレート６Ｒは、搬送されるディスク１１が小径ディスク１１Ｂである場合に小径ディスク１１Ｂをチャッキング位置Ｐに位置決めする位置に第２のディスクエンド検知レバー６２を位置決めして停止させると共に、小径ディスク１１がチャッキングされた後に第２のディスクエンド検知レバー６２を小径ディスク１１Ｂの径方向外側に移動させる（退避させる）もので、シャーシ１の上面に設けられた軸孔部１ｒに軸部６Ｒｄを挿入することで揺動自在に取り付けられている。
【００５０】
ストッパプレート６Ｒには第１の凸部６Ｒａ、第２の凸部６Ｒｂ，ストッパ部６Ｒｃが設けられている。ストッパプレート６Ｒは、ストッパ部６Ｒｃを第２のディスクエンド検知レバー６２の第１の凸部６２ａに対向させて係止可能にする作動位置（図１、図８３の位置）と、第２のディスクエンド検知レバー６２をディスク搬送路Ｗから退避させる退避操作位置（図１００の位置）との間で揺動可能であり、リターンスプリング９６によって作動位置に向けて付勢されている。第１の凸部６Ｒａはストッパプレート６Ｒの下面に設けられており、シャーシ１に設けられたスリット１ｔから機構収容空間８３に突出し、回動カムプレート８の第４の作動部８ｈによって操作可能となっている。第２の凸部６Ｒｂはストッパプレート６Ｒの先端部上面に設けられている。第２の凸部６Ｒｂはディスク搬送路Ｗに進出可能であり、大径ディスク１１Ａが搬送されてきた場合にその縁に当たり押し回される。一方、小径ディスク１１Ｂが搬送されてきた場合にはディスクエンド検知レバー６２が先に小径ディスク１１Ｂに当たり当該小径ディスク１１Ｂを停止させるために第２の凸部６Ｒｂは小径ディスク１１Ｂには接触しない。ストッパ６Ｒｃはストッパプレート６Ｒの先端部に設けられており、ディスクエンド検知レバー６２の第１の凸部６２ａに当たって係止可能であると共に、揺動した場合に第２のディスクエンド検知レバー６２を揺動させることができる。
【００５１】
第２のディスクエンド検知レバー６２を図２３に示す。第２のディスクエンド検知レバー６２はディスク１１のチャッキング位置Ｐよりも奥側に配置されており、その軸孔部６２ｂをシャーシ１の上面の軸部１ｓに回動自在に嵌め込んで支持されている。第１の凸部６２ａはディスクエンド検知レバー６２の下面に設けられている。また、第１の凸部６２ａのディスク搬送路Ｗ側には第２の凸部６２ｃが設けられている。第２の凸部６２ｃはディスク搬送路Ｗに進出可能となっており、搬送されるディスク１１が小径ディスク１１Ｂである場合に当該小径ディスク１１Ｂをチャッキング位置Ｐに位置決めする。第２のディスクエンド検知レバー６２はスプリング９９によって第２の凸部６２ｃをディスク１１に押し付ける方向、換言すると、図１に示す位置（待機位置）に向けて付勢されている。第２のディスクエンド検知レバー６２は、待機位置ではシャーシ１の凸部１ｈｈに度当たりして位置決めされている。
【００５２】
回動カムプレート８の各ガイドプレート８ｂ，８ｃにはトラバースユニット８０を上下動させるカム孔８ｏ，８ｐが設けられている。トラバースユニット８０を図２４に示す。トラバースユニット８０は、サブシャーシ８０ｃにターンテーブル８０ｄやピックアップ８０ｅを組み付けて一体化させたものであり、回動カムプレート８のガイドプレート８ｂ，８ｃに対向する位置にはカム孔８ｏ，８ｐに挿入される凸部８０ａ，８０ｂが設けられている。また、トラバースユニット８０の奥側（ディスク挿入口８１とは反対側）の端部には取付部８０ｈ，８０ｈが設けられており、取付部８０ｈ，８０ｈは弾性ブッシュ８２，８２によってシャーシ１の下面に揺動自在に連結されている。したがって、回動カムプレート８が回動すると、弾性ブッシュ８２，８２を弾性変形させながらトラバースユニット８０の手前側端が取付部８０ｈ，８０ｈを結ぶ軸線を中心に上下動する。即ち、回動カムプレート８がターンテーブル８０ｄをディスク１１に向けて移動させてチャッキングさせる駆動手段である。
【００５３】
ターンテーブル８０ｄのディスク中心孔挿入部８０ｆの上面周縁には、ディスク１１をチャッキングする係止部８０ｇが設けられている。本実施形態では、係止部８０ｇを中心孔挿入部８０ｆの周方向に等間隔で３箇所に設けている。ただし、係止部８０ｇの数はこれに限るものではない。係止部８０ｇはディスク中心孔挿入部８０ｆに対して出没可能となっており、図示しないスプリングによって突出する方向に付勢されている。トラバースユニット８０を上昇させてディスク中心孔挿入部８０ｆをディスク１１の中心孔に挿入すると、中心孔の縁に押されて係止部８０ｇが引っ込み、係止部８０ｇが中心孔を通り抜けると当該係止部８０ｇは突出して中心孔の周縁を係止する。これによりチャッキングが行われる（図３６）。このとき、各係止部８０ｇがディスク１１の中心孔を完全に通り抜けるようにするために、トラバースユニット８０をディスク演奏時の高さよりも高い位置に一旦上昇させてから、ディスク演奏時の高さまで下降させる（図３６（Ｄ）→（Ｅ）→（Ｆ））。上側ハウジング１７には孔１７ａが設けられているので、トラバースユニット８０をディスク演奏時の高さよりも高い位置に一旦上昇させても、ディスク中心孔挿入部８０ｆが上側ハウジング１７に接触することがない。また、トラバースユニット８０をディスク演奏時の高さに下降させることで、演奏時にディスク１１が上側ハウジング１７に接触することを防止する。
【００５４】
ディスク１１の演奏終了後、トラバースユニット８０を下降させてターンテーブル８０ｄのディスク中心孔挿入部８０ｆをディスク１１の中心孔から引き抜き、係止部８０ｇをディスク１１の中心孔から外すことで、ディスク１１のチャッキングが解除される。チャッキング解除時にはディスク１１はターンテーブル８０ｄの近傍でシャーシ１に設けられた凸部１ｉｉにより下降を妨げられることによりディスク中心孔挿入部８０ｆがディスク１１の中心孔から引き抜かれる。また同時にディスク１１は搬送ローラ１８，１８とガイドベース５Ｌ，５Ｒとで挟持されているので、トラバースユニット８０の下降によってディスク１１の中心孔からディスク中心孔挿入部８０ｆを引き抜くことができる。
【００５５】
また、回動カムプレート８の上面には、左右の操作レバー２Ｒ，２Ｌを揺動させる左右のカム溝８ｉ，８ｊが設けられている。カム溝８ｉ，８ｊは操作レバー２Ｒ，２Ｌをローディング位置に移動させる第１の溝部８ｋと、退避位置に移動させる第２の溝部８ｌより構成されている。
【００５６】
左側の操作レバー２Ｌを図２５に示す。左側の操作レバー２Ｌは回動カムプレート８の左側カム溝８ｉの近傍に配置され、中央部に設けられた軸孔２Ｌａをシャーシ１の下面に設けられた軸部１ｕに通すことで揺動自在に取り付けられている。また、右側の操作レバー２Ｒを図２６に示す。右側の操作レバー２Ｒは回動カムプレート８の右側カム溝８ｊの近傍に配置され、中央部に設けられた軸孔２Ｒａをシャーシ１の下面に設けられた軸部１ｖに通すことで揺動自在に取り付けられている。操作レバー２Ｌ，２Ｒの一端にはカム溝８ｉ，８ｊのカムフォロワとなる凸部２Ｌｂ，２Ｒｂが設けられている。また、操作レバー２Ｌ，２Ｒの他端にはガイドベース５Ｌ，５Ｒを揺動させる連結部２Ｌｃ，２Ｒｃが設けられている。したがって、回動カムプレート８が回動して左右の操作レバー２Ｌ，２Ｒが揺動すると、左右のガイドベース５Ｌ，５Ｒも揺動する。
【００５７】
左右のガイドベース５Ｌ，５Ｒを図２７，図２８に示す。ガイドベース５Ｌ，５Ｒはディスクローディング時に搬送ローラ１８がディスク１１を押し付ける力を当該ディスク１１の反対側で受けるもので、ディスク挿入口８１の近傍に設けられている。ディスク１１はガイドベース５Ｌ，５Ｒに対して滑りながら搬送される。ガイドベース５Ｌ，５Ｒは軸孔５Ｌａ，５Ｒａが設けられた中央部と、ディスク搬送路Ｗを挟んで搬送ローラ１８に対向して配置されるガイド部５Ｌｂ，５Ｒｂと、操作レバー２Ｌ，２Ｒの連結部２Ｌｃ，２Ｒｃに連結される入力部５Ｌｃ，５Ｒｃを備えている。左側ガイドベース５Ｌの軸孔５Ｌａはシャーシ１の上面に設けられた軸部１ｗに、右側ガイドベース５Ｒの軸孔５Ｒａはシャーシ１の上面に設けられた軸部１ｘにそれぞれ揺動自在に嵌め込まれている。また、左側ガイドベース５Ｌの入力部５Ｌｃはシャーシ１に設けられたスリット１ｙを通ってシャーシ１下の機構収容空間８３に突出し、左側操作レバー２Ｌの連結部２Ｌｃに連結されている。また、右側ガイドベース５Ｒの入力部５Ｒｃはシャーシ１に設けられたスリット１ｚを通ってシャーシ１下の機構収容空間８３に突出し、右側操作レバー２Ｒの連結部２Ｒｃに連結されている。したがって、左右のガイドベース５Ｌ，５Ｒが揺動すると、左右のガイドベース５Ｌ，５Ｒも揺動する。
【００５８】
また、回動カムプレート８の右側の検出アーム７Ｒの近傍位置にはチャッキング動作検出のために検出アーム７Ｒを揺動させて第１のスイッチ６６をオン操作するための凸部８ｎが設けられている。凸部８ｎが検出アーム７Ｒの凸部７Ｒｆに衝突可能となっており、回動カムプレート８の回動により凸部８ｎが凸部７Ｒｆに衝突すると、検出アーム７Ｒは揺動し、操作部７Ｒｅによって第１のスイッチ６６をオン操作する。凸部８ｎはターンテーブル８０ｄのチャッキング動作に対応して検出アーム７Ｒを揺動させて第１のスイッチ６６を切り換える位置に設けられている。即ち、凸部８ｎはターンテーブル８０ｄのチャッキング動作に対応して検出アーム７Ｒを揺動させて第１のスイッチ６６を切り換える操作手段である。
【００５９】
また、スライドプレート３６の手前側部分には、操作レバー３８を揺動させるカム孔３６ｇが設けられている。カム孔３６ｇは搬送ローラ１８の退避とシャッタアーム２２の開閉を操作するもので、スライドプレート３６の移動方向に沿って形成され、操作レバー３８を揺動させない非操作部３６ｈと、スライドプレート３６の移動方向に直交する方向に沿って形成され、操作レバー３８を揺動させる操作部３６ｉより構成されている。カム孔３６ｇには操作レバー３８の入力凸部３８ａが挿入されている。
【００６０】
操作レバー３８は、スライドプレート３６の近傍に配置され、中央部に設けられた軸孔３８ｂをシャーシ１の下面に設けられた軸部１ａａに通すことで揺動自在に取り付けられている。図２９に示すように、操作レバー３８の一端にはカム孔３６ｇのフォロワとなる入力凸部３８ａが設けられている。また、操作レバー３８の他端にはスライドカムプレート７０を移動させる連結凸部３８ｃが設けられている。したがって、スライドプレート３６の移動によって操作レバー３８が揺動すると、スライドカムプレート７０も移動する。
【００６１】
スライドカムプレート７０を図２９に示す。スライドカムプレート７０はディスクプレーヤの幅方向に細長い形状を成しており、ディスク挿入口８１の近傍に配置されている。スライドカムプレート７０の操作レバー３８側の端部近傍には、操作レバー３８の連結凸部３８ｃが挿入される凹部７０ａが設けられている。スライドカムプレート７０にはディスクプレーヤの幅方向に細長い直線状のガイド孔７０ｂが左右２箇所に形成されている。各ガイド孔７０ｂにはシャーシ１の下面に設けられた凸部１ｂｂ，１ｂｂが嵌め込まれており、スライドカムプレート７０の移動がディスクプレーヤの幅方向になるようにガイドされる。
【００６２】
スライドカムプレート７０の両端部底面には搬送ローラ１８の退避動作を操作するカム凸部７０ｃ，７０ｄが設けられている。左側のカム凸部７０ｃには回動アーム４Ｌの凸部４Ｌａが、右側のカム凸部７０ｄには回動アーム４Ｒの凸部４Ｒａ（図３０）がそれぞれ接触している。
【００６３】
左側の回動アーム４Ｌを図３１に示す。左側の回動アーム４Ｌは搬送ローラ１８のシャフト１８ａの左側端部を回転自在に支持するもので、基端部に設けられた軸孔４Ｌｂをシャーシ１の孔に突出するように設けられた水平軸部１ｃｃに通すことで上下方向に揺動自在に取り付けられている。左側回動アーム４Ｌの先端にはスライドカムプレート７０のカム凸部７０ｃのカムフォロワとなる凸部４Ｌａが設けられている。また、回動アーム４Ｌの中央部には搬送ローラ１８のシャフト１８ａを回転自在に支持する軸受け部４Ｌｃが設けられている。回動アーム４Ｌはスプリング９７によって凸部４Ｌａをカム凸部７０ｃに押し付ける方向に常時付勢されている。
【００６４】
右側の回動アーム４Ｒを図３２に示す。右側の回動アーム４Ｒは搬送ローラ１８のシャフト１８ａの右側端部を回転自在に支持するもので、基端部に設けられた軸孔４Ｒｂをシャーシ１の孔に突出するように設けられた水平軸部１ｄｄに通すことで上下方向に揺動自在に取り付けられている。右側回動アーム４Ｒの先端にはスライドカムプレート７０のカム凸部７０ｄのカムフォロワとなる凸部４Ｒａが設けられている。また、回動アーム４Ｒの中央部には搬送ローラ１８のシャフト１８ａを回転自在に支持する軸受け部４Ｒｃが設けられている。回動アーム４Ｒはスプリング９８によって凸部４Ｒａをカム凸部７０ｄに押し付ける方向に常時付勢されている。
【００６５】
左右の回動アーム４Ｌ，４Ｒは、スライドカムプレート７０の各カム凸部７０ｃ，７０ｄによって同時に同距離操作され、搬送ローラ１８を水平に上下動させる。
【００６６】
本実施形態では、２つの搬送ローラ１８を１本のシャフト１８ａの各ガイドベース５Ｌ，５Ｒに対向する位置に取り付けている。搬送ローラ１８は円錐台形状を成しており、小径部分が内側（ディスクプレーヤの幅方向内側）になるように取り付けられている。小径部分を内側にすることで、ディスク１１との間に生じる摩擦力に内向きの成分が発生し、ディスク１１をセンタリングすることができる。
【００６７】
スライドカムプレート７０の中央部手前側面にはシャッタアーム２２の開閉動作を操作する左右一対のカム板７０ｅ，７０ｆが設けられている（図２９、図３３）。左側のカム板７０ｅはシャッタアーム２２の凸部２２ａを持ち上げるものであり、右側のカム板７０ｆはシャッタアーム２２の凸部２２ａを下げるものである。シャッタアーム２２の凸部２２ａは左右のカム板７０ｅ，７０ｆの間に挿入されている。
【００６８】
シャッタアーム２２を図３４に示す。シャッタアーム２２は機構収容空間８３のディスク挿入口８１の近傍に対応する位置に配置され、左右の揺動中心軸２２ｂ，２２ｂがシャーシ１の下面に設けられた軸受け１ｅｅ，１ｅｅに揺動自在に支持されている。シャッタアーム２２の先端は二股に分かれており、各先端にはディスク搬送路Ｗに突出可能な凸部２２ｃ，２２ｃが設けられている。各凸部２２ｃはシャーシ１のディスク挿入口８１の近傍に設けられた孔１ｆｆ，１ｆｆからディスク搬送路Ｗに突出可能となっている。スライドカムプレート７０の移動によって凸部２２ａが持ち上げられると、シャッタアーム２２が揺動中心軸２２ｂを中心に揺動し、凸部２２ｃをディスク搬送路Ｗに突出させてディスク挿入口８１を閉じる（図３５の実線位置）。また、スライドカムプレート７０の逆方向の移動によって凸部２２ａが降ろされると、シャッタアーム２２が揺動中心軸２２ｂを中心に逆方向に揺動し、凸部２２ｃをディスク搬送路Ｗから退避させてディスク挿入口８１を開く（図３５の２点鎖線位置）。
【００６９】
次に、ディスクプレーヤの動作について説明する。まず最初に、大径ディスク１１Ａを演奏する場合について、各部材の位置関係を示す図３８〜図８０に基づき説明する。なお、動作を説明する図面では、理解を容易にするために説明に必要な部材を適宜選択して記載している（以下、同様）。また、チャッキング位置Ｐについてディスク１１の中心に対応する位置に符号Ｐを付している。
【００７０】
大径ディスク１１Ａが挿入されていない図３８に示す待機状態では、スライドカムプレート７０は移動していないので、図３６（Ａ）に示すように、シャッタアーム２２は降りており（図３５の２点鎖線の状態）、ディスク挿入口８１へのディスク１１の挿入が可能となっている。また、スライドプレート３６も移動していないので、第１のラック３６ｂと中間媒介歯車２９のピニオンギア２９ａとの噛み合い、及び第２のラック３６ｄと連結ギア３２の入力ギア３２ａとの噛み合いは解除されている。また、回動カムプレート８は回転していないので、トラバースユニット８０の凸部８０ａ，８０ｂは回動カムプレート８のカム孔８ｏ，８ｐに対して初期位置（図３７（Ａ）（Ｂ）のＰ１位置）に停止しており、トラバースユニット８０はディスク演奏空間Ｓから退避している（図３６（Ａ））。さらに、クラッチギア４７はローラ駆動ギア３３に噛み合っている（図４）。
【００７１】
この状態で、大径ディスク１１Ａをディスク挿入口８１に差し込むと、左右の検出アーム７Ｌ，７Ｒが大径ディスク１１Ａによって左右に押し開かれる（図３９）。大径ディスク１１Ａは左右の検出アーム７Ｌ，７Ｒの検出凸部７Ｌｂ，７Ｒｂに当たり、これらを押し退ける。左側の検出アーム７Ｌは軸孔７Ｌａを中心に揺動し、凸部７Ｌｃが連結スリット１５ａ内を移動しながら作動レバー１５を図３９中左側に移動させる。また、右側の検出アーム７Ｒは軸孔７Ｒを中心に揺動し、凸部１４Ｒｄが連結スリット１６ａ内を移動しながら作動レバー１６を図３９中右側に移動させる。また、右側の検出アーム７Ｒの操作部７Ｒｅは第１のスイッチ６６をオンさせる。
【００７２】
第１のスイッチ６６のオン操作によりディスク１１の挿入が検出され、モータ３７が回転し始める。なお、この段階では、挿入されたディスク１１が大径ディスク１１Ａであるか小径ディスク１１Ｂであるかは認識されていない。モータ３７の回転は、プーリ２４→ベルト４４→プーリ３４ａ→ギア３４ｂ→大径ギア３５ｂ→中径ギア３５ｃ→ギア３０の大径ギア３０ａ→小径ギア３０ｂ→クラッチギア４７→ローラ駆動ギア３３→搬送ローラ１８へと伝達される。これにより、搬送ローラ１８が回転し始め、ディスク１１の搬送準備が完了する。
【００７３】
右側の検出アーム７Ｒが揺動すると、作動レバー１６がディスクプレーヤの幅方向内側に向けて移動する。作動レバー１６が予め決定された所定距離だけ移動すると、そのアーム部１６ｃがディスクセンタリングガイド３Ｌに当たり、以降、ディスクセンタリングガイド３Ｌをその凸部３Ｌｃがディスク搬送路Ｗに進出する方向に回転させる（図４０）。
【００７４】
また、左側の検出アーム７Ｌが揺動すると、作動レバー１５がディスクプレーヤの幅方向内側に向けて移動する。作動レバー１５が予め決定された所定距離だけ移動すると、そのアーム部１５ｃがディスクセンタリングガイド３Ｒに当たり、以降、ディスクセンタリングガイド３Ｒをその凸部３Ｒｃがディスク搬送路Ｗに進出する方向に回転させる（図４１）。本実施形態では、左側のディスクセンタリングガイド３Ｌが回転し始めた後、若干の時間をおいて右側のディスクセンタリングガイド３Ｒが回転し始める（図４０→図４１）。
【００７５】
ディスク挿入口８１に差し込まれた大径ディスク１１Ａが搬送ローラ１８に達すると（図４２）、大径ディスク１１Ａは左右のガイドベース５Ｌ，５Ｒによって搬送ローラ１８，１８に押し付けられ、搬送ローラ１８との間に発生する摩擦力によってチャッキング位置Ｐに向けて搬送される。大径ディスク１１Ａの搬送によって左右の検出アーム７Ｌ，７Ｒはさらに開く方向に揺動され、左右のディスクセンタリングガイド３Ｌ，３Ｒも更に揺動されて凸部３Ｌｃ，３Ｒｃが更に内側に移動する。
【００７６】
その後、ディスクセンタリングガイド３Ｌの揺動によってスライドアーム６Ｌの一端６Ｌｂが押され、スライドアーム６Ｌは凸部６Ｌａを中心に揺動し、他端に設けられた凸部６Ｌｃを第１のディスクエンド検知レバー４１の第１の作動部４１ｄの移動経路からずらして第２の作動部４１ｅの移動経路に移動させる（図４３）。
【００７７】
なお、挿入されたディスク１１が小径ディスク１１Ｂの場合には、作動レバー１６が左側のディスクセンタリングガイド３Ｌを揺動させるほどには右側検出アーム７Ｒは揺動しないので、スライドアーム６Ｌの凸部６Ｌｃは第１のディスクエンド検知レバー４１の第１の作動部４１ｄの移動経路に位置したままである。
【００７８】
また、右側検出アーム７Ｒの揺動により、操作部７Ｒｅが第２のスイッチ６７をオン操作する。これにより挿入されたディスク１１が大径ディスク１１Ａであると制御部は認識する（図４４）。
【００７９】
その後、大径ディスク１１Ａの搬送方向先端部分は第１のディスクエンド検知レバー４１の第１の検知部４１ｇに当たり（図４５）、以降、第１のディスクエンド検知レバー４１を押し回しながら移動する。第１のディスクエンド検知レバー４１はスプリング９４によって付勢されており、大径ディスク１１Ａはスプリング９４のばね力に抗して搬送される。大径ディスク１１Ａの搬送方向先端部分は第１の検知部４１ｇの上ガイドと下ガイドの間に当たり高さ出しされながら搬送される。
【００８０】
大径ディスク１１Ａが更に搬送されると、大径ディスク１１Ａは左右のディスクセンタリングガイド３Ｌ，３Ｒの凸部３Ｌｃ，３Ｒｃに当たり、以降、大径ディスク１１Ａは左右のディスクセンタリングガイド３Ｌ，３Ｒを押し回しながら搬送される（図４６）。左右のディスクセンタリングガイド３Ｌ，３Ｒはスプリング９３，９２によって凸部３Ｌｃ，３Ｒｃをディスク１１をイジェクトする方向に向けて付勢されているので、ディスク１１搬送の抵抗力を発生させる。これにより、大径ディスク１１Ａは例えば左右にずれていてもセンタリングされながら搬送される。
【００８１】
大径ディスク１１Ａが更に搬送されると、大径ディスク１１Ａの最大径部が一対の検出アーム７Ｌ，７Ｒの検出凸部７Ｌｂ，７Ｒｂ間を通過する（図４７）。そして、大径ディスク１１Ａの最大径部が一対の検出アーム７Ｌ，７Ｒの検出凸部７Ｌｂ，７Ｒｂ間を通り過ぎると、いままで開く方向に回転していた一対の検出アーム７Ｌ，７Ｒが閉じる方向に回転し始める。
【００８２】
大径ディスク１１Ａが更に搬送されると、大径ディスク１１Ａはリターンスプリング９６によってディスク１１を排出する方向に付勢されているストッパプレート６Ｒの第２の凸部６Ｒｂに当たり、以降、ストッパプレート６Ｒを揺動させながら搬送される（図４８）。なお、第２のディスクエンド検知レバー６２の第２の凸部６２ｃもディスク搬送路Ｗに進出しているが、大径ディスク１１Ａはストッパプレート６Ｒの第２の凸部６Ｒｂに先に当たり、後述するように大径ディスク１１Ａの搬送に伴いストッパプレート６Ｒが第２のディスクエンド検知レバー６２を揺動させるので、大径ディスク１１Ａが第２のディスクエンド検知レバー６２の第２の凸部６２ｃに当たることはない。
【００８３】
また、大径ディスク１１Ａは第１のディスクエンド検知レバー４１の第１の検知部４１ｇに加えて第２の検知部４１ｈにも当たる（図４９）。したがって、大径ディスク１１Ａの搬送方向先端部分は２つの検知部４１ｇ，４１ｈによって高さをガイドされる。
【００８４】
また、スライドアーム６Ｌの凸部６Ｌｃはディスクエンド検知レバー４１の第１の作動部４１ｄの移動経路から退避しているので、第１の作動部４１ｄは凸部６Ｌｃの脇を通り抜けて進む。したがって、この時点ではスライドアーム６Ｌは移動されない。
【００８５】
また、右側検出アーム７Ｒの閉じる方向への回転によって操作部７Ｒｅが第２のスイッチ６７から離れる（図５０）。したがって、第２のスイッチ６７がオンからオフに切り替わる。また、ディスクエンド検知レバー４１の揺動により、第１の検知部４１ｇが大径ディスク１１Ａから離れる。
【００８６】
その後、右側検出アーム７Ｒの閉じる方向への更なる回転によって操作部７Ｒｅが第１のスイッチ６６からも離れる（図５１）。したがって、第１のスイッチ６６がオンからオフに切り替わる。
【００８７】
また、大径ディスク１１Ａによって揺動されたストッパプレート６Ｒはストッパ部６Ｒｃによって第２のディスクエンド検知レバー６２を大径ディスク１１Ａから離れる方向に揺動させる。即ち、第２のディスクエンド検知レバー６２の位置固定を解除してディスク搬送路Ｗから退避させる。
【００８８】
大径ディスク１１Ａが更に搬送されて左右の検出アーム７Ｌ，７Ｒの検出凸部７Ｌｂ，７Ｒｂ間を通過すると、左右の検出アーム７Ｌ，７Ｒは待機状態の位置に戻る（図５２）。
【００８９】
大径ディスク１１Ａがチャッキング位置Ｐの直前位置（例えば数ｍｍ程度手前の位置）まで搬送されると、第１のディスクエンド検知レバー４１の第２の作動部４１ｅがスライドアーム６Ｌの凸部６Ｌｃに当たる（図５３）。したがって、スライドアーム６Ｌは第１のディスクエンド検知レバー４１によって押されて移動し始める。そして、予め設定された所定距離だけ移動すると、スライドアーム６Ｌの凸部６Ｌａがスライドプレート３６の凸部３６ａに当たり、スライドプレート３６をディスクプレーヤの手前方向（イジェクト方向）に移動させる（図１７）。
【００９０】
そして、スライドプレート３６が予め設定されている所定距離だけイジェクト方向に移動すると、第１のラック３６ｂが中間媒介歯車２９のピニオンギア２９ａに噛み合うので、以降、スライドプレート３６は中間媒介歯車２９の回転と大径ディスク１１Ａの搬送によるスライドアーム６Ｌの移動によって駆動される（図５４）。
【００９１】
そして、スライドプレート３６が予め設定されている所定距離だけ移動すると、カム斜面３６ｃが駆動力切換レバー４６に当たりこれを揺動させ（図５５、図５６、図５７）、クラッチギア４７をローラ駆動ギア３３から切り離す（図５８、図５９）。これにより、モータ３７の回転力がローラ駆動ギア３３即ち搬送ローラ１８に伝わらなくなる。
【００９２】
一方、大径ディスク１１Ａがチャッキング位置Ｐまで搬送されると、第１のディスクエンド検知レバー４１の凸部４１ｉがストッパプレート６５のストッパ部６５ｂに当たる（図５７）。これにより第１のディスクエンド検知レバー４１が揺動できなくなり、大径ディスク１１Ａを停止させる。即ち、大径ディスク１１Ａがチャッキング位置Ｐに位置決めされる（図３６（Ｂ））。
【００９３】
また、スライドプレート３６の移動によって第２のラック３６ｄが連結ギア３２の入力ギア３２ａに噛み合い（図５８）、以降、スライドプレート３６の移動によって連結ギア３２が回転され、回動カムプレート８が駆動される。即ち、スライドプレート３６の駆動力は第２のラック３６ｄ→連結ギア３２の入力ギア３２ａ→出力ギア３２ｂ→回動カムプレート８のギア部８ａへと伝えられ、回動カムプレート８を回動させる。本実施形態では、回動カムプレート８は図中時計回り方向に回動される。
【００９４】
一方、回動カムプレート８の回転に伴い、トラバースユニット８０の凸部８０ａ，８０ｂが回動カムプレート８のカム孔８ｏ，８ｐの斜面を昇り始め（図３７（Ａ），（Ｂ）の位置Ｐ２）、トラバースユニット８０が上昇し始める（図３６（Ｃ），図６０）。
【００９５】
また、スライドプレート３６が予め設定された所定距離だけ移動すると、操作レバー３８の入力凸部３８ａがカム孔３６ｇの非操作部３６ｈから操作部３６ｉに移動するので、操作レバー３８が揺動され始める（図６１）。これにより、スライドカムプレート７０が移動され、左側のカム板７０ｅによってシャッタアーム２２の凸部２２ａが持ち上げられてシャッタアーム２２が上昇し始める（図３３，図３５）と共に、左右のカム凸部７０ｃ，７０ｄによって回動アーム４Ｌ，４Ｒの凸部４３Ｌａ，凸部４３Ｒａが押し下げられて搬送ローラ１８が下降し始める（図３０）。
【００９６】
また、回動カムプレート８が予め設定された所定角度だけ回動すると、トラバースユニット８０の凸部８０ａ，８０ｂが回動カムプレート８のカム孔８ｏ，８ｐの頂点に到達し（図３７（Ａ），（Ｂ）の位置Ｐ３）、トラバースユニット８０が最も高い位置まで上昇され、チャッキングされる（図３６（Ｄ））。
【００９７】
更に回動カムプレート８が予め設定された所定角度だけ回動すると、左側の操作レバー２Ｌの凸部２Ｌｂが回動カムプレート８のカム溝８ｉの溝部８ｋ，８ｌ間の傾斜部分に達するので、左側の操作レバー２Ｌが揺動し始め、左側のガイドベース５Ｌが退避し始める（図６２）。その後、右側の操作レバー２Ｒの凸部２Ｒｂが回動カムプレート８のカム溝８ｊの溝部８ｋ，８ｌ間の傾斜部分に達するので、右側の操作レバー２Ｒが揺動し始め、右側のガイドベース５Ｒが退避し始める（図６３）。
【００９８】
回動カムプレート８が更に回動すると、トラバースユニット８０は演奏時の高さに戻る（図３７（Ａ）（Ｂ）の位置Ｐ４，図３６（Ｅ），図６４）。
【００９９】
回動カムプレート８が更に回転すると、凸部８ｎが右側検出アーム７Ｒの凸部７Ｒｆに当たり、右側検出アーム７Ｒを揺動させる（図６５）。これにより、右側検出アーム７Ｒの操作部７Ｒｅによって第１のスイッチ６６がオフからオンされる。このオン信号はチャッキングを検出する信号となる。
【０１００】
回動カムプレート８が更に回転すると、第１の作動部８ｅがストッパプレート６５に当たりこれを揺動させる（図６６）。また、搬送ローラ１８が最も低い位置まで下降する。即ち、搬送ローラ１８の退避が完了する。
【０１０１】
回動カムプレート８が更に回動すると、操作レバー２が揺動し始める（図６７）。操作レバー２の揺動は退避レバー９Ｒを介して右側のディスクセンタリングガイド３Ｒに伝わり、右側のディスクセンタリングガイド３Ｒのディスク演奏空間Ｓからの退避動作が始まる。
【０１０２】
回動カムプレート８が更に回転すると、ストッパプレート６５のストッパ部６５ｂが第１のディスクエンド検知レバー４１の凸部４１ｉから外れる（図６８）。これにより、第１のディスクエンド検知レバー４１が揺動可能になる。
【０１０３】
回転カムプレート８が更に回動すると、左側の退避レバー９Ｌの凸部９Ｌａが回動カムプレート８の円弧溝８ｍの端の壁に当たり、退避レバー９Ｌが回動カムプレート８に引っ張られて移動を開始する（図６９）。
【０１０４】
その後、回動カムプレート８の第２の作動部８ｆが第１のディスクエンド検知レバー４１に当たり、これを揺動させる（図７０）。これにより、第１のディスクエンド検知レバー４１の第２の検知部４１ｈが大径ディスク１１Ａから径方向外側に離れ（退避）始める。
【０１０５】
回動カムプレート８が更に回動すると、右側のディスクセンタリングガイド３Ｒの凸部３Ｒｃの退避が完了すると共に、左側の退避レバー９Ｌの凸部９Ｌｂが左側のディスクセンタリングガイド３Ｌの退避操作用凸部３Ｌｄに当たる（図７１）。退避レバー９Ｌの凸部９Ｌｂがディスクセンタリングガイド３Ｌの退避操作用凸部３Ｌｄに当たることで、ディスクセンタリングガイド３Ｌが揺動され、凸部３Ｌｃを大径ディスク１１Ａから離して退避させる。
【０１０６】
その後、ストッパプレート６５が回動カムプレート８の第１の作動部８ｅによって最も端の位置まで揺動された（図７２）後、更なる回動カムプレート８の回動によって左側の退避レバー９Ｌの退避が完了する（図７３）。
【０１０７】
回動カムプレート８が更に回動すると、左側のガイドベース５Ｌの退避が完了する（図７４）。
【０１０８】
回転カムプレート８が更に回動すると、回動カムプレート８の第４の作動部８ｈが右側のストッパプレート６Ｒの第１の凸部６Ｒａに当たり、ストッパプレート６Ｒを揺動させる（図７５）。これにより、ストッパプレート６Ｒの第２の凸部６Ｒｂが大径ディスク１１Ａから離れて退避させられると共に、第２のディスクエンド検知レバー６２を揺動させてその第２の凸部６２ｃを大径ディスク１１Ａから離して退避させる。
【０１０９】
回転カムプレート８が更に回動すると、右側のガイドベース５Ｒの退避が完了する（図７６）。
【０１１０】
回転カムプレート８が更に回動すると、第１のディスクエンド検知レバー４１の第２の検知部４１ｈの退避が完了する（図７７）。
【０１１１】
回動カムプレート８が更に回動すると、左側のディスクセンタリングガイド３Ｌの凸部３Ｌｃの退避が完了する（図７８）。
【０１１２】
その後、ディスク１１の演奏が開始され（図７９）、スライドプレート３６がシャーシ１に形成された凸部であるストッパ１ｋｋ（図６）に当たり停止する（図８０）。この状態では、図３６（Ｆ）に示すように、シャッタアーム２２はディスク挿入口８１を閉じており、また、回動カムプレート８のカム孔８ｏ，８ｐに対するトラバースユニット８０の凸部８０ａ，８０ｂの位置関係は図３７（Ａ）（Ｂ）のＰ５位置となっているので、トラバースユニット８０はディスク演奏時の高さとなっている。
【０１１３】
大径ディスク１１Ａをイジェクトする場合には、上述の動作を逆に行う。即ち、大径ディスク１１Ａの演奏が終了し、モータ３７がローディング時とは逆方向に回転すると、上述の動作が逆に行われて大径ディスク１１Ａがディスク挿入口８１から排出される。
【０１１４】
次に、小径ディスク１１Ｂを演奏する場合について、各部材の位置関係を示す図３８，図８１〜図１００に基づき説明する。なお、大径ディスク１１Ａを演奏する場合と同じ点については適宜省略して説明する。
【０１１５】
図３８に示す待機状態で、小径ディスク１１Ｂをディスク挿入口８１に差し込むと、左右の検出アーム７Ｌ，７Ｒが小径ディスク１１Ｂによって左右に押し開かれる（図８１）。小径ディスク１１Ｂは左右の検出アーム７Ｌ，７Ｒの検出凸部７Ｌｂ，７Ｒｂに当たり、これらを押し退ける。左側の検出アーム７Ｌは軸孔７Ｌａを中心に揺動し、作動レバー１５を図８１中左側に移動させる。また、右側の検出アーム７Ｒは軸孔７Ｒを中心に揺動し、作動レバー１６を図８１中右側に移動させる。また、右側の検出アーム７Ｒの操作部７Ｒｅは第１のスイッチ６６をオンさせる。
【０１１６】
第１のスイッチ６６のオン操作によりディスク１１の挿入が検出され、モータ３７が回転し始める。なお、この段階では、挿入されたディスク１１が大径ディスク１１Ａであるか小径ディスク１１Ｂであるかは認識されていない。モータ３７の回転は、プーリ２４→ベルト４４→プーリ３４ａ→ギア３４ｂ→大径ギア３５ｂ→中径ギア３５ｃ→ギア３０の大径ギア３０ａ→小径ギア３０ｂ→クラッチギア４７→ローラ駆動ギア３３→搬送ローラ１８へと伝達される。これにより、搬送ローラ１８が回転し始め、ディスク１１の搬送準備が完了する。
【０１１７】
図８２に示すように、ディスク挿入口８１に差し込まれた小径ディスク１１Ｂが搬送ローラ１８に達すると、小径ディスク１１Ｂは左右のガイドベース５Ｌ，５Ｒによって搬送ローラ１８に押し付けられ、搬送ローラ１８との間に発生する摩擦力によってチャッキング位置Ｐに向けて搬送される。小径ディスク１１Ｂの搬送によって一対の検出アーム７Ｌ，７Ｒはさらに開く方向に揺動される。
【０１１８】
小径ディスク１１Ｂが更に搬送されると、小径ディスク１１Ｂの最大径部が一対の検出アーム７Ｌ，７Ｒの検出凸部７Ｌｂ，７Ｒｂ間を通過する（図８３）。そして、小径ディスク１１Ｂの最大径部が一対の検出アーム７Ｌ，７Ｒの検出凸部７Ｌｂ，７Ｒｂ間を通り過ぎると、いままで開く方向に回転していた一対の検出アーム７Ｌ，７Ｒが閉じる方向に回転し始める。
【０１１９】
なお、ディスク挿入口８１に挿入されたディスク１１が大径ディスク１１Ａの場合には、上述のように左右の検出アーム７Ｌ，７Ｒの揺動によって作動レバー１５，１６が移動して左右のディスクセンタリングガイド３Ｌ，３Ｒを揺動させていたが、挿入されたディスク１１が小径ディスク１１Ｂの場合には、左右の検出アーム７Ｌ，７Ｒが揺動する角度が小さく、作動レバー１５，１６の移動距離は短いので、左右のディスクセンタリングガイド３Ｌ，３Ｒは揺動しない。したがって、ディスクセンタリングガイド３Ｌによってスライドアーム６Ｌは揺動されることはなく、スライドアーム６Ｌの凸部６Ｌｃはディスクエンド検知レバー４１の第１の作動部４１ｄの移動経路上に位置している。
【０１２０】
また、右側の検出アーム７Ｒが揺動する角度が小さいことから、ディスク挿入口８１に挿入されたディスク１１が小径ディスク１１Ｂの場合には第２のスイッチ６７はオン操作されることがない。
【０１２１】
その後、小径ディスク１１Ｂの搬送方向先端部分は第１のディスクエンド検知レバー４１の第１の検知部４１ｇに当たり（図８４）、以降、第１のディスクエンド検知レバー４１を押し回しながら移動する。第１のディスクエンド検知レバー４１はスプリング９４によって付勢されており、小径ディスク１１Ｂはスプリング９４のばね力に抗して搬送される。小径ディスク１１Ｂの搬送方向先端部分は第１の検知部４１ｇの上ガイドと下ガイドの間に当たり高さ出しされながら搬送される。
【０１２２】
小径ディスク１１Ｂがチャッキング位置Ｐの直前位置（例えば数ｍｍ程度手前の位置）まで搬送されると、第１のディスクエンド検知レバー４１の第１の作動部４１ｄがスライドアーム６Ｌの凸部６Ｌｃに当たる（図８５）。したがって、スライドアーム６Ｌは第１のディスクエンド検知レバー４１によって押されて移動し始める。そして、予め設定された所定距離だけ移動すると、スライドアーム６Ｌの凸部６Ｌａがスライドプレート３６の凸部３６ａに当たり、スライドプレート３６をディスクプレーヤの手前方向（イジェクト方向）に移動させる（図１７）。
【０１２３】
そして、スライドプレート３６が予め設定されている所定距離だけイジェクト方向に移動すると、第１のラック３６ｂが中間媒介歯車２９のピニオンギア２９ａに噛み合うので、以降、スライドプレート３６は中間媒介歯車２９の回転と小径ディスク１１Ｂの搬送によるスライドアーム６Ｌの移動によって駆動される。（図８６）
【０１２４】
一方、小径ディスク１１Ｂがチャッキング位置Ｐまで搬送されると、小径ディスク１１Ｂが第２のディスクエンド検知レバー６２の第２の凸部６２ｃに度当たりする（図８７）。この状態では、第２のディスクエンド検知レバー６２の第１の凸部６２ａがストッパプレート６Ｒのストッパ部６Ｒｃによって係止されており、第２のディスクエンド検知レバー６２はストッパプレート６Ｒによって固定されているので、第２のディスクエンド検知レバー６２は小径ディスク１１Ｂを停止させる。即ち、小径ディスク１１Ｂがチャッキング位置Ｐに位置決めされる。
【０１２５】
そして、スライドプレート３６が予め設定されている所定距離だけ移動すると、カム斜面３６ｃが駆動力切換レバー４６に当たりこれを揺動させ（図８８、図８９）、クラッチギア４７をローラ駆動ギア３３から切り離す（図９０、図９１）。これにより、モータ３７の回転力がローラ駆動ギア３３即ち搬送ローラ１８に伝わらなくなる。
【０１２６】
また、スライドプレート３６の移動によって第２のラック３６ｄが連結ギア３２の入力ギア３２ａに噛み合い（図９０）、以降、スライドプレート３６の移動によって連結ギア３２が回転され、回動カムプレート８が駆動される。即ち、スライドプレート３６の駆動力は第２のラック３６ｄ→連結ギア３２の入力ギア３２ａ→出力ギア３２ｂ→回動カムプレート８のギア部８ａへと伝えられ、回動カムプレート８を回動させる。本実施形態では、回動カムプレート８は図中時計回り方向に回動される。
【０１２７】
回動カムプレート８の回転によって第４の作動部８ｈがストッパプレート６Ｒの第１の凸部６Ｒａに当たると、以降、ストッパプレート６Ｒが揺動される。ストッパプレート６Ｒの揺動に伴い、第２のディスクエンド検知レバー６２がスプリング９９のばね力によって第２の凸部６２ｃをディスク搬送路Ｗから退避させる方向に揺動される（図９２）。
【０１２８】
回動カムプレート８が更に回転すると、トラバースユニット８０の凸部８０ａ，８０ｂが回動カムプレート８のカム孔８ｏ，８ｐの斜面を昇り始め（図３７（Ａ），（Ｂ）の位置Ｐ２）、トラバースユニット８０が上昇し始める（図３６（Ｃ），図９３）。
【０１２９】
また、スライドプレート３６が予め設定された所定距離だけ移動すると、操作レバー３８の入力凸部３８ａがカム孔３６ｇの非操作部３６ｈから操作部３６ｉに移動するので、操作レバー３８が揺動され始める（図９４）。これにより、スライドカムプレート７０が移動され、左側のカム板７０ｅによってシャッタアーム２２の凸部２２ａが持ち上げられてシャッタアーム２２が上昇し始める（図３３，図３５）と共に、左右のカム凸部７０ｃ，７０ｄによって回動アーム４Ｌ，４Ｒの凸部４３Ｌａ，凸部４３Ｒａが押し下げられて搬送ローラ１８が下降し始める（図３０）。
【０１３０】
また、回動カムプレート８が予め設定された所定角度だけ回動すると、トラバースユニット８０の凸部８０ａ，８０ｂが回動カムプレート８のカム孔８ｏ，８ｐの頂点に到達し（図３７（Ａ），（Ｂ）の位置Ｐ３）、トラバースユニット８０が最も高い位置まで上昇され、チャッキングされる（図３６（Ｄ））。
【０１３１】
更に回動カムプレート８が予め設定された所定角度だけ回動すると、左側の操作レバー２Ｌの凸部２Ｌｂが回動カムプレート８のカム溝８ｉの溝部８ｋ，８ｌ間の傾斜部分に達するので、左側の操作レバー２Ｌが揺動し始め、左側のガイドベース５Ｌが退避し始める（図９５）。その後、右側の操作レバー２Ｒの凸部２Ｒｂが回動カムプレート８のカム溝８ｊの溝部８ｋ，８ｌ間の傾斜部分に達するので、右側の操作レバー２Ｒが揺動し始め、右側のガイドベース５Ｒが退避し始める（図９６）。
【０１３２】
回動カムプレート８が更に回動すると、トラバースユニット８０は演奏時の高さに戻る（図３７（Ａ）（Ｂ）の位置Ｐ４，図３６（Ｅ），図９７）。
【０１３３】
回動カムプレート８が更に回転すると、凸部８ｎが右側検出アーム７Ｒの凸部７Ｒｆに当たり、右側検出アーム７Ｒを揺動させる（図９８）。これにより、右側検出アーム７Ｒの操作部７Ｒｅによって第１のスイッチ６６がオフからオンされる。このオン信号はチャッキング完了を検出する信号となる。
【０１３４】
その後、ディスク１１の演奏が開始され（図９９）、スライドプレート３６がシャーシ１のストッパ１ｋｋ（図６）に当たり停止する（図１００）。この状態では、図３６（Ｆ）に示すように、シャッタアーム２２はディスク挿入口８１を閉じており、また、回動カムプレート８のカム孔８ｏ，８ｐに対するトラバースユニット８０の凸部８０ａ，８０ｂの位置関係は図３７（Ａ）（Ｂ）のＰ５位置となっているので、トラバースユニット８０はディスク演奏時の高さとなっている。
【０１３５】
小径ディスク１１Ｂをイジェクトする場合には、上述の動作を逆に行う。即ち、小径ディスク１１Ｂの演奏が終了し、モータ３７がローディング時とは逆方向に回転すると、上述の動作が逆に行われて小径ディスク１１Ｂがディスク挿入口８１から排出される。
【０１３６】
本実施形態のディスクプレーヤは、ディスク１１がディスク挿入口８１に対して左右に偏って挿入された場合にディスク１１を中央に寄せるセンタリング手段を備えている。センタリング手段について、各部材の位置関係を示す図１０１〜図１０６に基づき説明する。
【０１３７】
大径ディスク１１Ａの挿入が中央位置から例えば左側に偏っていた場合、即ち、左側検出アーム７Ｌの揺動角度の方が右側検出アーム７Ｒの揺動角度よりも大きい場合には、図１０１に示すように、作動レバー１５の押圧部１５ｄが検出アーム７Ｒの凸部７Ｒｃを押して検出アーム７Ｒを揺動させる。即ち、右側検出アーム７Ｒは作動レバー１５によって揺動され、第１のスイッチ６６をオン操作する。
【０１３８】
一方、大径ディスク１１Ａの挿入が中央位置から右側に偏っていた場合には、右側検出アーム７Ｒは大径ディスク１１Ａにより直接押されて揺動し、第１のスイッチ６６をオン操作する。なお、この場合にも、左側検出アーム７Ｌは大径ディスク１１Ａによって揺動される。即ち、左側検出アーム７Ｌは右側検出アーム７Ｒに遅れて揺動する。
【０１３９】
また、前面パネル４０に設けられたディスク挿入口８１の幅は大径ディスク１１Ａの直径より若干広くなっているので、大径ディスク１１Ａがその中心近くまでディスク挿入口８１内に引き込まれると、大径ディスク１１Ａの縁が左右の壁に当たり、大径ディスク１１Ａはセンタリングされながらディスク挿入口８１内に引き込まれる（図１０２，図１０３）。
【０１４０】
そして、大径ディスク１１Ａは左右のディスクセンタリングガイド３Ｌ，３Ｒからの抵抗力を受けながら搬送されることで完全にセンタリングされる。
【０１４１】
また、小径ディスク１１Ｂの挿入が中央位置から例えば左側に偏っていた場合、大径ディスク１１Ａの場合と同様に、左側の検出アーム７Ｌの揺動が作動レバー１５を介して右側の検出アーム７Ｒに伝わり、右側の検出アーム７Ｒが揺動されることで第１のスイッチ６６がオン操作される（図１０４）。
【０１４２】
一方、小径ディスク１１Ｂの挿入が中央位置から右側に偏っていた場合には、右側検出アーム７Ｒは小径ディスク１１Ｂにより直接押されて揺動し、第１のスイッチ６６をオン操作する（図１０５）。
【０１４３】
ただし、挿入されたディスク１１が小径ディスク１１Ｂの場合には、ディスク１１が左右に偏って挿入されたとしても各検出アーム７Ｌ，７Ｒの揺動角度は小さく、左右のディスクセンタリングガイド３Ｌ，３Ｒは揺動しない。したがって、左側に偏って挿入された小径ディスク１１Ｂは左側のディスクセンタリングガイド３Ｌに当たり、右側に偏って挿入された小径ディスク１１Ｂは右側のディスクセンタリングガイド３Ｒに当たり、センタリングされながら搬送される（図１０６）。
【０１４４】
図１０７に大径ディスク１１Ａのローディング時におけるスイッチ６６，６７のオンオフ切り換えとモータ３７の始動・停止との時間的な関係（タイミング）を示す。
【０１４５】
ディスク挿入口８１への大径ディスク１１Ａの挿入によって第１のスイッチ６６（図のＳＷ１。以下同じ。）がオンとなり（時間ａ）、モータ３７（図のＭＯＴＯＲ。以下同じ。）がローディング方向（図のＣＣＷ方向）に回転し始める。そして、第２のスイッチ６７（図のＳＷ２。以下同じ。）がオン（時間ｂ）になることで、挿入されたディスク１１が大径ディスク１１Ａであることを検出する。その後、第２のスイッチ６７がオフになり（時間ｃ）、第１のスイッチ６６がオフ（時間ｄ）になった後、第１のスイッチ６６が再度オン（２度目のオン）となる（時間ｅ）ことで、大径ディスク１１Ａのチャッキング動作を検出する。第１のスイッチ６６の２度目のオンから予め設定されたモータ駆動継続時間例えば１００ｍｓの経過後、モータ３７に反転ブレーキ（所定時間（例えば１０ｍｓ）の逆方向（図のＣＷ方向）への回転）がかけられ、モータ３７の回転が停止する。
【０１４６】
図１０８に小径ディスク１１Ｂのローディング時におけるスイッチ６６，６７のオンオフ切り換えとモータ３７の始動・停止との時間的な関係（タイミング）を示す。
【０１４７】
ディスク挿入口８１への小径ディスク１１Ｂの挿入によって第１のスイッチ６６がオンとなり（時間ａ）、モータ３７がローディング方向（図のＣＣＷ方向）に回転し始める。その後、第２のスイッチ６７がオンにならずに、第１のスイッチ６６がオフ（時間ｄ）になることで、挿入されたディスク１１が小径ディスク１１Ｂであることを検出する。そして、第１のスイッチ６６が再度オン（２度目のオン）となる（時間ｅ）ことで、小径ディスク１１Ｂのチャッキング動作を検出する。第１のスイッチ６６の２度目のオンから予め設定されたモータ駆動継続時間例えば１００ｍｓの経過後、モータ３７に反転ブレーキ（所定時間（例えば１０ｍｓ）の逆方向（図のＣＷ方向）への回転）がかけられ、モータ３７の回転が停止する。
【０１４８】
このディスクプレーヤは、ディスク１１がディスク挿入口８１に挿入されたことを検出する第１のスイッチ６６と、ディスク１１の種類を検出する第２のスイッチ６７とを備えており、ディスク１１のチャッキング動作を検出するスイッチとして別個のものをわざわざ備えるのではなく、第１のスイッチ６６をチャッキング動作を検出するスイッチとして利用している。即ち、駆動手段である回動カムプレート８に設けた操作手段である凸部８ｎがディスク１１のチャッキング動作のタイミングに合わせて右側検出アーム７Ｒを操作して第１のスイッチ６６を切り換えるので、ディスク１１の挿入を検出する第１のスイッチ６６を利用してチャッキング動作を検出することができ、わざわざ別個にチャッキング動作検出用のスイッチを設ける必要がなくなり、スイッチの使用数の増加を抑えて製造コストの増加を防ぐことができる。
【０１４９】
また、ディスク１１のチャッキング動作を検出することができるので、回動カムプレート８を駆動させるモータ３７の停止タイミングをチャッキング動作の検出タイミング（時間ｅ）に基づいて制御可能になる。そのため、モータ３７の停止タイミングを例えばディスクのローディング途中の時点に基づいて制御する場合に比べて、上述のモータ駆動継続時間、即ちチャッキングが終了していないとの推定に基づいてモータ３７を駆動し続ける時間が短くなる。そのため、モータ駆動継続時間に含める余裕時間（チャッキングの確実性を考慮して余分にモータ３７を作動させる時間）を短くすることができ、その分だけディスク挿入口８１にディスク１１が挿入されてから演奏を開始するまでの時間を短くすることができる。そのため、ユーザの待ち時間を減らしてディスクプレーヤの使い勝手を向上させることができる。
【０１５０】
また、モータ駆動継続時間として短い時間を設定できるので、実際のディスク搬送時間とのずれ（誤差）を減らすことができ、駆動力伝達系への負荷を減少させることができて耐久性を向上させることができると共に、ローディングの確実性を向上させることかできる。
【０１５１】
しかも、トラバースユニット８０を上下動させる回動カムプレート８に検出アーム７Ｒを操作する凸部８ｎを設けているので、実際のチャッキング動作とその検出動作（第１のスイッチ６６の切り換え）との同期がより確実なものとなり、モータ３７停止のタイミングをより正確なものにすることができる（負荷の大小、搬送時間の長短の影響を受け難い）。
【０１５２】
図１０９に大径ディスク１１Ａのイジェクト時におけるスイッチ６６，６７のオンオフ切り換えとモータ３７の始動・停止との時間的な関係（タイミング）を示す。
【０１５３】
図示しないイジェクト操作ボタンが操作されると、モータ３７がイジェクト方向（図のＣＷ方向）に回転し始める（時間ｆ）。その後、第１のスイッチ６６がオフとなり（時間ｇ）、更にオン（時間ｈ）となった後、第２のスイッチ６７がオンとなる（時間ｉ）。そして、ユーザが引き抜くことができる程度にディスク挿入口８１から大径ディスク１１Ａが露出すると、第２のスイッチ６７がオフとなる（時間ｊ）。このオフにより、モータ３７に反転ブレーキ（所定時間（例えば１０ｍｓ）の逆方向（図のＣＣＷ方向）への回転）がかけられ、モータ３７の回転が停止する。そして、ユーザがディスク挿入口８１から露出した大径ディスク１１Ａを引き抜くと、第１のスイッチ６６がオフとなる（時間ｋ）。
【０１５４】
図１１０に小径ディスク１１Ｂのイジェクト時におけるスイッチ６６，６７のオンオフ切り換えとモータ３７の始動・停止との時間的な関係（タイミング）を示す。
【０１５５】
図示しないイジェクト操作ボタンが操作されると、モータ３７がイジェクト方向（図のＣＷ方向）に回転し始める（時間ｆ）。その後、第１のスイッチ６６がオフとなり（時間ｇ）、更にオンとなる（時間ｈ）。その後、所定時間（例えば４００ｍｓ）経過すると、モータ３７に反転ブレーキ（所定時間（例えば１０ｍｓ）の逆方向（図のＣＣＷ方向）への回転）がかけられ、モータ３７の回転が停止する。時間ｈから上記所定時間が経過する間に、ユーザが引き抜くことができる程度にディスク挿入口８１から大径ディスク１１Ａが露出するので、ユーザがディスク挿入口８１から露出した大径ディスク１１Ａを引き抜くと、第１のスイッチ６６がオフとなる（時間ｋ）。
【０１５６】
このディスクプレーヤは、奥行きが短く、ディスク演奏時でもディスク１１が搬送ローラ１８とガイドベース５Ｌ，５Ｒとの間を通り抜けない構成であるが、ディスク演奏時に左右のガイドベース５Ｌ，５Ｒをガイドベース退避手段（回動カムプレート８及び左右の操作レバー２Ｌ，２Ｒ）によってディスク１１の径方向外側に移動させることでディスク１１の演奏空間Ｓから退避させているので、ディスク１１の回転軸方向に退避のためのスペースを設ける必要がなく、ディスクプレーヤを薄くすることができる。
【０１５７】
また、このディスクプレーヤは、ディスク演奏時に左右のディスクセンタリングガイド３Ｌ，３Ｒ（ガイド部材）、第１のディスクエンド検知レバー４１（ストッパ）、第２のディスクエンド検知レバー６２（ストッパ）、ストッパプレート６Ｒ（ガイド部材）をディスク１１の径方向外側に移動させることでディスク１１の演奏空間Ｓから退避させているので、ディスク１１の回転軸方向に退避のためのスペースを設ける必要がなく、この点からもディスクプレーヤを薄くすることができる。
【０１５８】
即ち、ディスク挿入口８１に挿入されたディスク１１が大径ディスク１１Ａの場合には、第１のディスクエンド検知レバー４１が大径ディスク１１Ａをチャッキング位置Ｐに位置決めするストッパであり、回動カムプレート８がディスク演奏時にストッパ（第１のディスクエンド検知レバー４１）を大径ディスク１１Ａの径方向外側に退避させるストッパ退避手段であり、ストッパ退避手段によってストッパが大径ディスク１１Ａの径方向外側に移動されて退避される。
【０１５９】
また、ディスク挿入口８１に挿入されたディスク１１が小径ディスク１１Ｂの場合には、第２のディスクエンド検知レバー６２が小径ディスク１１Ｂをチャッキング位置Ｐに位置決めするストッパであり、回動カムプレート８及びストッパプレート６Ｒがディスク演奏時にストッパ（第２のディスクエンド検知レバー６２）を小径ディスク１１Ｂの径方向外側に退避させるストッパ退避手段であり、ストッパ退避手段によってストッパが小径ディスク１１Ｂの径方向外側に移動されて退避される。
【０１６０】
また、左右のディスクセンタリングガイド３Ｌ，３Ｒが搬送されるディスク１１の側部をガイドするガイド部材であり、回動カムプレート８及び左側の退避レバー９Ｌがディスク演奏時に左側のガイド部材（ディスクセンタリングガイド３Ｌ）をディスク１１の径方向外側に退避させるガイド退避手段であり、回動カムプレート８及び右側の操作レバー２Ｒ及び右側の退避レバー９Ｒがディスク演奏時に右側のガイド部材（ディスクセンタリングガイド３Ｒ）をディスク１１の径方向外側に退避させるガイド退避手段であり、各ガイド退避手段によって対応するガイド部材がディスク１１の径方向外側に移動されて退避される。
【０１６１】
また、ディスク挿入口８１に挿入されたディスク１１が大径ディスク１１Ａの場合には、ストッパプレート６Ｒも搬送される大径ディスク１１Ａの側部をガイドするガイド部材であり、回動カムプレート８がディスク演奏時にガイド部材（ストッパプレート６Ｒ）を大径ディスク１１Ａの径方向外側に退避させるガイド退避手段であり、ガイド退避手段によってガイドが大径ディスク１１Ａの径方向外側に移動されて退避される。
【０１６２】
なお、上述の形態は本発明の好適な形態の一例ではあるがこれに限定されるものではなく本発明の要旨を逸脱しない範囲において種々変形実施可能である。
【０１６３】
例えば、上述の説明ではディスク１１をローディングする部材として、ディスクセンタリングガイド３Ｌ，３Ｒ、第１のディスクエンド検知レバー４１、第２のディスクエンド検知レバー６２、ストッパプレート６Ｒを備えていたが、例えば、使用するディスク１１の種類が１種類に限られており、ディスク１１の搬送路を固定壁等で構成する場合等には、ディスクセンタリングガイド３Ｌ，３Ｒ、第１のディスクエンド検知レバー４１、第２のディスクエンド検知レバー６２、ストッパプレート６Ｒのうちの一部又は全部を省略しても良い。なお、その場合には当然のことながら省略した部材をディスク１１の径方向外側に退避させるものではない。
【符号の説明】
【０１６４】
２Ｌ  左側の操作レバー（ガイドベース退避手段）
２Ｒ  右側の操作レバー（ガイドベース退避手段、ガイド退避手段）
３Ｌ，３Ｒ  ディスクセンタリングガイド（ガイド部材）
５Ｌ，５Ｒ  ガイドベース
７Ｌ，７Ｒ  検出アーム
８  回動カムプレート（ガイドベース退避手段、ストッパ退避手段、ガイド退避手段、駆動手段）
８ｎ  凸部（操作手段）
９Ｌ，９Ｒ  退避レバー（ガイド退避手段）
１１  ディスク
１８  搬送ローラ
４１  第１のディスクエンド検知レバー（ストッパ）
６６  第１のスイッチ
６７  第２のスイッチ
８０ｄ  ターンテーブル
８１  ディスク挿入口
９１  スプリング（付勢手段）
Ｐ  チャッキング位置
【図１】
2012164408.tif 000003
【図２】
2012164408.tif 000004
【図３】
2012164408.tif 000005
【図４】
2012164408.tif 000006
【図５】
2012164408.tif 000007
【図６】
2012164408.tif 000008
【図７】
2012164408.tif 000009
【図８】
2012164408.tif 000010
【図９】
2012164408.tif 000011
【図１０】
2012164408.tif 000012
【図１１】
2012164408.tif 000013
【図１２】
2012164408.tif 000014
【図１３】
2012164408.tif 000015
【図１４】
2012164408.tif 000016
【図１５】
2012164408.tif 000017
【図１６】
2012164408.tif 000018
【図１７】
2012164408.tif 000019
【図１８】
2012164408.tif 000020
【図１９】
2012164408.tif 000021
【図２０】
2012164408.tif 000022
【図２１】
2012164408.tif 000023
【図２２】
2012164408.tif 000024
【図２３】
2012164408.tif 000025
【図２４】
2012164408.tif 000026
【図２５】
2012164408.tif 000027
【図２６】
2012164408.tif 000028
【図２７】
2012164408.tif 000029
【図２８】
2012164408.tif 000030
【図２９】
2012164408.tif 000031
【図３０】
2012164408.tif 000032
【図３１】
2012164408.tif 000033
【図３２】
2012164408.tif 000034
【図３３】
2012164408.tif 000035
【図３４】
2012164408.tif 000036
【図３５】
2012164408.tif 000037
【図３６】
2012164408.tif 000038
【図３７】
2012164408.tif 000039
【図３８】
2012164408.tif 000040
【図３９】
2012164408.tif 000041
【図４０】
2012164408.tif 000042
【図４１】
2012164408.tif 000043
【図４２】
2012164408.tif 000044
【図４３】
2012164408.tif 000045
【図４４】
2012164408.tif 000046
【図４５】
2012164408.tif 000047
【図４６】
2012164408.tif 000048
【図４７】
2012164408.tif 000049
【図４８】
2012164408.tif 000050
【図４９】
2012164408.tif 000051
【図５０】
2012164408.tif 000052
【図５１】
2012164408.tif 000053
【図５２】
2012164408.tif 000054
【図５３】
2012164408.tif 000055
【図５４】
2012164408.tif 000056
【図５５】
2012164408.tif 000057
【図５６】
2012164408.tif 000058
【図５７】
2012164408.tif 000059
【図５８】
2012164408.tif 000060
【図５９】
2012164408.tif 000061
【図６０】
2012164408.tif 000062
【図６１】
2012164408.tif 000063
【図６２】
2012164408.tif 000064
【図６３】
2012164408.tif 000065
【図６４】
2012164408.tif 000066
【図６５】
2012164408.tif 000067
【図６６】
2012164408.tif 000068
【図６７】
2012164408.tif 000069
【図６８】
2012164408.tif 000070
【図６９】
2012164408.tif 000071
【図７０】
2012164408.tif 000072
【図７１】
2012164408.tif 000073
【図７２】
2012164408.tif 000074
【図７３】
2012164408.tif 000075
【図７４】
2012164408.tif 000076
【図７５】
2012164408.tif 000077
【図７６】
2012164408.tif 000078
【図７７】
2012164408.tif 000079
【図７８】
2012164408.tif 000080
【図７９】
2012164408.tif 000081
【図８０】
2012164408.tif 000082
【図８１】
2012164408.tif 000083
【図８２】
2012164408.tif 000084
【図８３】
2012164408.tif 000085
【図８４】
2012164408.tif 000086
【図８５】
2012164408.tif 000087
【図８６】
2012164408.tif 000088
【図８７】
2012164408.tif 000089
【図８８】
2012164408.tif 000090
【図８９】
2012164408.tif 000091
【図９０】
2012164408.tif 000092
【図９１】
2012164408.tif 000093
【図９２】
2012164408.tif 000094
【図９３】
2012164408.tif 000095
【図９４】
2012164408.tif 000096
【図９５】
2012164408.tif 000097
【図９６】
2012164408.tif 000098
【図９７】
2012164408.tif 000099
【図９８】
2012164408.tif 000100
【図９９】
2012164408.tif 000101
【図１００】
2012164408.tif 000102
【図１０１】
2012164408.tif 000103
【図１０２】
2012164408.tif 000104
【図１０３】
2012164408.tif 000105
【図１０４】
2012164408.tif 000106
【図１０５】
2012164408.tif 000107
【図１０６】
2012164408.tif 000108
【図１０７】
2012164408.tif 000109
【図１０８】
2012164408.tif 000110
【図１０９】
2012164408.tif 000111
【図１１０】
2012164408.tif 000112
【図１１１】
2012164408.tif 000113